(57)【特許請求の範囲】
【請求項１】
複数の誘電体層を積層した積層体からなり、不平衡端子と該不平衡端子に対応する第１平衡端子および第２平衡端子とフィルタ回路とが前記積層体の内層電極および外部電極によって形成された積層型フィルタであって、
前記不平衡端子とグランドとの間に接続された不平衡側インダクタと、
該不平衡側インダクタに電磁界結合し、一方端が前記第１平衡端子へ接続され、他方端が前記第２平衡端子へ接続される平衡側インダクタと、を備え、
前記平衡側インダクタは、前記積層体の内層に形成されたヘリカル状のコイル電極によって構成され、
前記平衡側インダクタを構成するコイル電極の巻回方向に沿った所定位置は、グランド接続用電極によって前記グランドへ接続され、
前記第１平衡端子と前記第２平衡端子との間には、平衡側キャパシタが接続されており、
該平衡側キャパシタは、前記第１平衡端子に導通する第１内層平板電極を一方の対向電極とし、グランドに接続しない第１浮き電極を他方の対向電極とする第１キャパシタと、前記第２平衡端子に導通する第２内層平板電極を一方の対向電極とし、グランドに接続しない第２浮き電極を他方の対向電極とする第２キャパシタと、から構成され、前記第１キャパシタと前記第２キャパシタとが直列接続された構成からなる、積層型フィルタ。
【請求項２】
請求項１に記載の積層型フィルタであって、
前記コイル電極と前記グランドとの間には、前記グランド接続用電極の途中点に、前記誘電体層を介して対向する一対の対向電極からなる接地用コンデンサが直列接続されている、積層型フィルタ。
【請求項３】
請求項２に記載の積層型フィルタであって、
前記接地用コンデンサの前記コイル電極側の対向電極は、直流印加端子に接続されている、積層型フィルタ。
【請求項４】
請求項１又は２に記載の積層型フィルタであって、
前記平衡側インダクタを構成するコイル電極は、３つ以上の奇数個のコイル電極を直列に接続してなり、
前記奇数個のコイル電極における配列順の中央のコイル電極と、前記不平衡側インダクタを構成するコイル電極とは、積層体内において電磁界結合する位置に形成されており、
前記奇数個のコイル電極は、前記積層体の積層方向から見て巻き方向が同じである、積層型フィルタ。
【請求項５】
請求項４に記載の積層型フィルタであって、
前記中央のコイル電極は、積層体を平面視して、平衡側インダクタを構成する他のコイル電極の形成領域よりも広い領域に亘って形成されており、
前記不平衡側インダクタを構成するコイル電極は、前記平衡側インダクタを構成する他のコイル電極と重ならない前記中央のコイル電極の部分と積層方向に沿って、ほぼ対向するように形成されている、積層型フィルタ。
【請求項６】
請求項３に記載の積層型フィルタであって、
前記平衡側インダクタを構成するコイル電極は、３つ以上の奇数個のコイル電極を直列に接続してなり、
前記奇数個のコイル電極における配列順の中央のコイル電極と、前記不平衡側インダクタを構成するコイル電極とは、積層体内において電磁界結合する位置に形成されており、
前記奇数個のコイル電極は、前記積層体の積層方向から見て巻き方向が同じであり、
前記中央のコイル電極は、積層体を平面視して、平衡側インダクタを構成する他のコイル電極の形成領域よりも広い領域に亘って形成されており、
前記不平衡側インダクタを構成するコイル電極は、前記平衡側インダクタを構成する他のコイル電極と重ならない前記中央のコイル電極の部分と積層方向に沿って、ほぼ対向するように形成されている、積層型フィルタ。
【請求項７】
複数の誘電体層を積層した積層体からなり、不平衡端子と該不平衡端子に対応する第１平衡端子および第２平衡端子とフィルタ回路とが前記積層体の内層電極および外部電極によって形成された積層型フィルタであって、
前記不平衡端子とグランドとの間に接続された不平衡側インダクタと、
該不平衡側インダクタに電磁界結合し、一方端が前記第１平衡端子へ接続され、他方端が前記第２平衡端子へ接続される平衡側インダクタと、を備え、
前記平衡側インダクタは、前記積層体の内層に形成されたヘリカル状のコイル電極によって構成され、
前記平衡側インダクタを構成するコイル電極の巻回方向に沿った所定位置は、グランド接続用電極によって前記グランドへ接続され、
前記平衡側インダクタを構成するコイル電極は、３つ以上の奇数個のコイル電極を直列に接続してなり、
前記奇数個のコイル電極における配列順の中央のコイル電極と、前記不平衡側インダクタを構成するコイル電極とは、積層体内において電磁界結合する位置に形成されており、
前記奇数個のコイル電極は、前記積層体の積層方向から見て巻き方向が同じであり、
前記中央のコイル電極は、積層体を平面視して、平衡側インダクタを構成する他のコイル電極の形成領域よりも広い領域に亘って形成されており、
前記不平衡側インダクタを構成するコイル電極は、前記平衡側インダクタを構成する他のコイル電極と重ならない前記中央のコイル電極の部分と積層方向に沿って、ほぼ対向するように形成されている、積層型フィルタ。
【請求項８】
請求項７に記載の積層型フィルタであって、
前記コイル電極と前記グランドとの間には、前記グランド接続用電極の途中点に、前記誘電体層を介して対向する一対の対向電極からなる接地用コンデンサが直列接続されている、積層型フィルタ。
【請求項９】
請求項８に記載の積層型フィルタであって、
前記接地用コンデンサの前記コイル電極側の対向電極は、直流印加端子に接続されている、積層型フィルタ。
【発明の詳細な説明】
【技術分野】
【０００１】
本発明は、それぞれに所定の電極パターンが形成された複数の誘電体層を積層してなる積層型フィルタ、特に、平衡出力端子を有する積層型フィルタに関する。
【背景技術】
【０００２】
従来、それぞれに所定の電極パターンが形成された複数の誘電体層を積層して、所定の回路機能を実現する積層型の回路素子が各種考案されている。その一種として、フィルタ機能を実現する積層型フィルタがあり、さらに、特許文献１に示すように、不平衡平衡変換機能を有する積層型フィルタ（以下では、「積層型バランスフィルタ」と称する。）がある。
【０００３】
特許文献１に記載の積層型バランスフィルタは、複数の両端開放型の１／２波長共振器を、互いに電磁界結合するように、配置している。一方端の１／２波長共振器には不平衡入力端子が接続され、他方端の１／２波長共振器の両端には平衡出力端子が接続されている。これら複数の１／２波長共振器は、積層体に形成された内層電極により実現されている。
【先行技術文献】
【特許文献】
【０００４】
【特許文献１】特開２００５−４５４４７号公報
【発明の概要】
【発明が解決しようとする課題】
【０００５】
しかしながら、特許文献１に記載の積層型バランスフィルタでは、平衡出力側のインダクタが内層電極で形成され、その両端がそのまま平衡出力端子へ接続される構造であるため、インダクタを形成する内層電極の形状や配線パターンにより、対となる平衡出力端子間の位相バランスを所望値に設定することが容易ではない。
【０００６】
したがって、本発明の目的は、バランス特性に優れる積層型フィルタを実現することにある。
【課題を解決するための手段】
【０００７】
この発明は、複数の誘電体層を積層した積層体からなり、不平衡端子と該不平衡端子に対応する第１平衡端子および第２平衡端子とフィルタ回路とが積層体の内層電極および外部電極によって形成された積層型フィルタに関する。積層型フィルタは、不平衡端子とグランドとの間に接続された不平衡側インダクタと、不平衡側インダクタに電磁界結合し、一方端が第１平衡端子へ接続され、他方端が第２平衡端子へ接続される平衡側インダクタと、を備える。平衡側インダクタは、積層体の内層に形成されたヘリカル状のコイル電極によって構成される。平衡側インダクタを構成するコイル電極の巻回方向に沿った所定位置は、グランド接続用電極によってグランドへ接続されている。
【０００８】
この構成では、グランド接続用電極によりグランドに接続された点が平衡側インダクタの位相基準点となる。したがって、グランド接続用電極を平衡側インダクタのコイル電極に接続する位置を適宜決定することで、所望とするバランス特性が高精度に実現される。
【０００９】
また、この発明の積層型フィルタでは、コイル電極とグランドとの間には、グランド接続用電極の途中点に、誘電体層を介して対向する一対の対向電極からなる接地用コンデンサが直列接続されている。
【００１０】
この構成では、平衡側インダクタを構成するコイル電極の途中点を接地する具体的な一例を示している。
【００１１】
また、この発明の積層型フィルタでは、接地用コンデンサのコイル電極側の対向電極は、直流印加端子に接続されている。
【００１２】
この構成では、平衡側インダクタに対して直流バイアスを印加する具体的な構成を示している。そして、この構成とすることで、直流バイアスを正確に印加できるとともに、直流印加端子からの信号と平衡側インダクタを通過する信号を周波数で切り離すことができる。
【００１３】
また、この発明の積層型フィルタでは、平衡側インダクタを構成するコイル電極は、３つ以上の奇数個のコイル電極を直列に接続してなる。奇数個のコイル電極における配列順の中央のコイル電極と、不平衡側インダクタを構成するコイル電極とは、積層体内において電磁界結合する位置に形成されている。奇数個のコイル電極は、積層方向から見て巻き方向が同じである。
【００１４】
この構成では、上述の積層型フィルタのさらに具体的な構成を示している。このような平衡側インダクタのコイル電極の構成を用いることで、バランス特性に優れ、所望のインピーダンスを設定可能で且つ挿入損失の小さい積層型フィルタを実現できる。
【００１５】
また、この発明の積層型フィルタでは、中央のコイル電極は、積層体を平面視して、平衡側インダクタを構成する他のコイル電極の形成領域よりも広い領域に亘って形成されている。不平衡側インダクタを構成するコイル電極は、平衡側インダクタを構成する他のコイル電極と重ならない中央のコイル電極の部分と積層方向に沿って、ほぼ対向するように形成されている。
【００１６】
この構成では、積層体の内層のコイル電極により、平衡側インダクタと不平衡側インダクタとを電磁界結合させる具体的な構成を示している。
【００１７】
また、この発明の積層型フィルタでは、第１平衡端子と第２平衡端子との間には、平衡側キャパシタが接続されている。
【００１８】
該平衡側キャパシタは、第１平衡端子に導通する第１内層平板電極を一方の対向電極とし、グランドに接続しない第１浮き電極を他方の対向電極とする第１キャパシタと、第２平衡端子に導通する第２内層平板電極を一方の対向電極とし、グランドに接続しない第２浮き電極を他方の対向電極とする第２キャパシタと、から構成される。第１キャパシタと第２キャパシタとが直列接続されている。
【００１９】
この構成では、平衡端子側に接続されるキャパシタの具体的構成を示している。この構成により、第１平衡端子と第２平衡端子との間に接続される直列接続される第１キャパシタと第２キャパシタとの接続点がフローティンググランドとなる。したがって、積層型フィルタ自身のグランドへの接続パターンや、積層型フィルタのグランドのマザー基板への実装状態に、積層型フィルタのバランス特性が影響されない。したがって、さらにバランス特性に優れる積層型フィルタを実現できる。
【発明の効果】
【００２０】
この発明によれば、バランス特性の優れた積層型フィルタを実現することができる。
【図面の簡単な説明】
【００２１】
【図１】第１の実施形態に係る積層型フィルタ１０Ａの回路図である。
【図２】第１の実施形態に係る積層型フィルタ１０Ａの外観斜視図である。
【図３】第１の実施形態に係る積層型フィルタ１０Ａの分解斜視図である。
【図４】第１の実施形態に係る積層型フィルタにおけるバランス特性の設定概念を説明するための図である。
【図５】第２の実施形態に係る積層型フィルタ１０Ｂの外観斜視図である。
【図６】第２の実施形態に係る積層型フィルタ１０Ｂの分解斜視図である。
【図７】第３の実施形態に係る積層型フィルタ１０Ｃの回路図である。
【図８】第３の実施形態に係る積層型フィルタ１０Ｃの外観斜視図である。
【図９】第３の実施形態に係る積層型フィルタ１０Ｃの分解斜視図である。
【図１０】第４の実施形態に係る積層型フィルタ１０Ｄの回路図である。
【図１１】第４の実施形態に係る積層型フィルタ１０Ｄの外観斜視図である。
【図１２】第４の実施形態に係る積層型フィルタ１０Ｄの分解斜視図である。
【図１３】第５の実施形態に係る積層型フィルタ１０Ｅの回路図である。
【図１４】第５の実施形態に係る積層型フィルタ１０Ｅの外観斜視図である。
【図１５】第５の実施形態に係る積層型フィルタ１０Ｅの分解斜視図である。
【図１６】第６の実施形態に係る積層型フィルタ１０Ｆの回路図である。
【図１７】第６の実施形態に係る積層型フィルタ１０Ｆの外観斜視図である。
【図１８】第６の実施形態に係る積層型フィルタ１０Ｆの分解斜視図である。
【図１９】第７の実施形態に係る積層型フィルタ１０Ｇの回路図である。
【図２０】第７の実施形態に係る積層型フィルタ１０Ｇの分解斜視図である。
【図２１】第８の実施形態に係る積層型フィルタ１０Ｈの外観斜視図である。
【図２２】第８の実施形態に係る積層型フィルタ１０Ｈの分解斜視図である。
【発明を実施するための形態】
【００２２】
本発明の第１の実施形態に係る積層型フィルタについて、図を参照して説明する。
＜回路説明＞
まず、積層型フィルタ１０Ａの回路構成について説明する。図１は本実施形態に係る積層型フィルタ１０Ａの回路図である。
【００２３】
積層型フィルタ１０Ａは、不平衡型信号を入出力する不平衡端子Ｐｕｎｂと、平衡型信号を入出力する第１平衡端子Ｐｂ１および第２平衡端子Ｐｂ２を備える。
【００２４】
不平衡端子Ｐｕｎｂとグランドとの間には、不平衡側キャパシタＣ１と不平衡側インダクタＬ１との並列共振回路が接続されている。
【００２５】
第１平衡端子Ｐｂ１と第２平衡端子Ｐｂ２との間には、三個の平衡側インダクタＬ３，Ｌ２，Ｌ４が直列接続されている。この際、平衡側インダクタＬ３，Ｌ２，Ｌ４は、第１平衡端子Ｐｂ１側から、平衡側インダクタＬ３，Ｌ２，Ｌ４の順で接続されている。これら平衡側インダクタＬ３，Ｌ２，Ｌ４は、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【００２６】
平衡側インダクタＬ２は、不平衡側インダクタＬ１と電磁界結合するように、配置されている。この構成より、平衡側インダクタＬ２と不平衡側インダクタＬ１との間には相互インダクタＭが作用する。
【００２７】
平衡側インダクタＬ２は、巻回方向に沿って所定点がグランドへ接続されている。
【００２８】
また、第１平衡端子Ｐｂ１と第２平衡端子Ｐｂ２との間には、第１平衡側キャパシタＣ２と第２平衡側キャパシタＣ３との直列回路が接続されている。この際、第１平衡側キャパシタＣ２と第２平衡側キャパシタＣ３とは、第１平衡端子Ｐｂ１側から、第１平衡側キャパシタＣ２、第２平衡側キャパシタＣ３の順で接続されている。
【００２９】
このような構成の積層型フィルタ１０Ａでは、不平衡端子Ｐｕｎｂから不平衡型信号が入力されると、不平衡平衡変換され、第１平衡端子Ｐｂ１および第２平衡端子Ｐｂ２から所定の位相の平衡型信号が出力される。さらに、不平衡側インダクタＬ１と不平衡側キャパシタＣ１との共振回路により、フィルタの通過帯域の中心周波数が設計される。これにより、不平衡平衡変換機能付きのフィルタが構成される。
【００３０】
＜構造説明＞
次に、上述の回路構成を実現する積層型フィルタ１０Ａの構造について説明する。図２は本実施形態に係る積層型フィルタ１０Ａの外観斜視図である。図３は本実施形態に係る積層型フィルタ１０Ａの分解斜視図である。
【００３１】
積層型フィルタ１０Ａは、８層の誘電体層１０１−１０８を順次積層した積層体１００Ａによって実現される。
【００３２】
積層体１００Ａは、図２に示すように、外形形状が略直方体形状からなる。積層体１００Ａの第１側面には、不平衡端子用の外部電極（以下、不平衡端子Ｐｕｎｂと称する。）、グランド電極（以下、グランド端子ＧＮＤと称する。）、および第１平衡端子用の外部電極（以下、第１平衡端子Ｐｂ１と称する。）が、この順で配列形成されている。前記第１側面に対向する積層体１００Ａの第２側面には、二個のグランド端子ＧＮＤと、第２平衡端子用の外部電極（以下、第２平衡端子Ｐｂ２と称する。）が、この順で配列形成されている。この際、第１平衡端子Ｐｂ１と第２平衡端子Ｐｂ２とが対向するように配置されている。
【００３３】
積層型フィルタ１０Ａの外部端子となる、これら不平衡端子Ｐｕｎｂ、第１平衡端子Ｐｂ１、第２平衡端子Ｐｂ２、およびグランド端子ＧＮＤは、積層方向に延びる形状からなり、積層体１００Ａを構成する全ての誘電体層１０１−１０８に亘る電極パターンで形成されている。なお、以下の各誘電体層の説明では、内層電極との接続関係を除き、これら外部端子の形成位置および形状の説明は省略する。
【００３４】
次に、各誘電体層１０１−１０７の電極形成パターンについて、具体的に説明する。なお、積層体１００は最上層を誘電体層１０１として、下層に向かうほど符番が大きくなり、最下層を誘電体層１０８として説明する。
【００３５】
積層体１００Ａの最上層となる誘電体層１０１には、上記外部端子の電極パターンのみが形成されている。なお、図示しないが、誘電体層１０１の天面、すなわち積層体１００Ａの天面に、実装方向を定義するためのマーキング電極が形成されている。
【００３６】
誘電体層１０２には、コイル電極２０１Ａ，２０２Ａが形成されている。コイル電極２０１Ａの一方端は第１側面の第１平衡端子Ｐｂ１に接続されている。コイル電極２０１Ａは、平面視して、当該一方端を始点として、巻回形に形成されている。コイル電極２０１Ａの他方端は導電性のビア電極ＶＨ２３を介して、誘電体層１０３のコイル電極３０１Ａの一方端に接続されている。このコイル電極２０１Ａにより、平衡側インダクタＬ３が構成される。
【００３７】
コイル電極２０２Ａは、一方端が第１側面の不平衡端子Ｐｕｎｂに接続されている。コイル電極２０２Ａは、平面視して、当該一方端を始点として、巻回形に形成されている。コイル電極２０２Ａの他方端は導電性のビア電極ＶＨ２４を介して、誘電体層１０４のコイル電極４０２Ａの一方端に接続されている。
【００３８】
コイル電極２０２Ａは、誘電体層１０３のコイル電極３０１Ａと電磁界結合する位置に形成されている。
【００３９】
誘電体層１０３には、コイル電極３０１Ａが形成されている。コイル電極３０１Ａの一方端は、上述のようにビア電極ＶＨ２３を介してコイル電極２０１Ａの他方端に接続されている。
【００４０】
コイル電極３０１Ａは、当該一方端を始点として略全面に亘るように巻回形に形成されている。すなわち、コイル電極３０１Ａは、積層体１００Ａを平面視して、コイル電極２０１Ａの形成領域よりも広い領域に亘って形成されている。そして、コイル電極３０１Ａは、コイル電極２０２Ａと積層方向に沿って部分的に対向するように形成されている。この構成により、コイル電極３０１Ａとコイル電極２０２Ａとが電磁界結合することができる。
【００４１】
コイル電極３０１Ａの他方端は導電性のビア電極ＶＨ３４を介して、誘電体層１０４のコイル電極４０１Ａの一方端に接続されている。このコイル電極３０１Ａにより、平衡側インダクタＬ２が構成される。
【００４２】
また、コイル電極３０１Ａの巻回方向に沿った所定位置は、グランド接続用電極９９９Ａにより、第２側面の端のグランド端子ＧＮＤに接続されている。これにより、平衡側インダクタＬ２の所定点がグランド接続される。
【００４３】
誘電体層１０４には、コイル電極４０１Ａ，４０２Ａが形成されている。コイル電極４０１Ａの一方端は、上述のようにビア電極ＶＨ３４を介してコイル電極３０１Ａの他方端に接続されている。
【００４４】
コイル電極４０１Ａは、当該一方端を始点として巻回形に形成されている。この際、コイル電極４０１Ａは、積層体１００Ａを平面視してコイル電極２０１Ａと巻回方向が一致するように形成されている。また、コイル電極４０１Ａの形成領域は、積層体１００Ａを平面視して、コイル電極２０１Ａの形成領域と略重なるように形成されている。コイル電極４０１Ａの他方端は、第２側面の第２平衡端子Ｐｂ２に接続されている。このコイル電極４０１Ａにより、平衡側インダクタＬ４が構成される。
【００４５】
コイル電極４０２Ａの一方端は、上述のようにビア電極ＶＨ２４を介してコイル電極２０２Ａの他方端に接続されている。コイル電極４０２Ａは、当該一方端を始点として巻回形に形成されている。この際、コイル電極４０２Ａは、積層体１００を平面視してコイル電極２０２Ａと巻回方向が一致するように形成されている。また、コイル電極４０２Ａの形成領域は、積層体１００Ａを平面視して、コイル電極２０２Ａの形成領域と略重なるように形成されている。これにより、コイル電極４０２Ａもコイル電極３０１Ａに電磁界結合させることができる。
【００４６】
コイル電極４０２Ａの他方端は、第２側面の中央のグランド端子ＧＮＤに接続されている。これらコイル電極２０２Ａ、ビア電極ＶＨ２４、およびコイル電極４０２Ａによって、不平衡側インダクタＬ１が構成される。
【００４７】
そして、このような構成により、平衡側インダクタＬ２と不平衡側インダクタＬ１とが電磁界結合し、平衡側インダクタＬ２と不平衡側インダクタＬ１とによる相互インダクタＭが実現される。
【００４８】
誘電体層１０５には、内層電極パターンが形成されていない。
【００４９】
誘電体層１０６には、平面視して略四角形の平板電極６０１Ａが形成されている。平板電極６０１Ａは、積層体１００Ａを平面視して、不平衡側インダクタＬ１を構成するコイル電極２０２Ａ，４０２Ａの形成領域側、すなわち、コイル電極２０２Ａ，４０２Ａと平面視して重なる領域に形成されている。この平板電極６０１Ａは、不平衡側キャパシタＣ１の一方の対向電極に相当する。
【００５０】
誘電体層１０７には、平面視して略四角形の平板電極７０１Ａ，７０２Ａが形成されている。平板電極７０１Ａは、平板電極６０１Ａと積層方向に沿って対向する位置に形成されている。この構成により、平板電極７０１Ａが不平衡側キャパシタＣ１の他方の対向電極となり、平板電極６０１Ａ，７０１Ａと誘電体層１０６とにより、不平衡側キャパシタＣ１が構成される。平板電極７０１Ａは、第１側面のグランド端子ＧＮＤおよび第２側面の中央のグランド端子ＧＮＤに接続されている。これにより、不平衡側キャパシタＣ１と不平衡側インダクタＬ１との共振回路が構成される。
【００５１】
平板電極７０２Ａは、グランド端子ＧＮＤを含む外部端子のいずれにも接続しない浮き電極からなる。
【００５２】
誘電体層１０８には、平面視して略四角形の平板電極８０１Ａ，８０２Ａが形成されている。平板電極８０１Ａは、平板電極７０２Ａと積層方向に沿って対向するように、形成されている。この構成により、平板電極８０１Ａ，７０２Ａ間に誘電体層１０７が介在した第１平衡側キャパシタＣ２が構成される。平板電極８０１Ａは、第１側面の第１平衡端子Ｐｂ１に接続されている。
【００５３】
また、平板電極８０２Ａは、平板電極７０２Ａと積層方向に沿って対向するように、形成されている。この構成により、平板電極８０２Ａ，７０２Ａ間に誘電体層１０７が介在した第２平衡側キャパシタＣ３が構成される。平板電極８０２Ａは、第２側面の第２平衡端子Ｐｂ２に接続されている。
【００５４】
以上のような構成により、図１の回路構成からなる積層型フィルタ１０Ａを、積層体１００Ａを用いて実現することができる。そして、上述のような構成を用いることで、次に示す作用効果が得られる。
【００５５】
図４は、本実施形態に係る積層型フィルタにおけるバランス特性の設定概念を説明するための図である。図４（Ａ）は、平衡側インダクタＬ２を形成するコイル電極に対するグランドへ接続点の具体的な複数例を示している。図４（Ｂ）は、図４（Ａ）において接続点Ｂでコイル電極をグランドへ接続する場合のバランス特性を示している。図４（Ｃ）は、図４（Ａ）において接続点Ｃでコイル電極をグランドへ接続する場合のバランス特性を示している。図４（Ｄ）は、図４（Ａ）において接続点Ｄでコイル電極をグランドへ接続する場合のバランス特性を示している。なお、図４（Ｂ），（Ｃ），（Ｄ）において、実線が通過帯域における不平衡端子Ｐｕｎｂから第１平衡端子Ｐｂ１への振幅特性であり、破線が通過帯域における不平衡端子Ｐｕｎｂから第２平衡端子Ｐｂ２への振幅特性である。
【００５６】
図４に示すように、コイル電極に対するグランドへの接続点を巻回方向に沿って変化させることにより、不平衡端子Ｐｕｎｂから第１平衡端子Ｐｂ１および第２平衡端子Ｐｂ２への振幅特性のバランスが変化する。そして、図４（Ａ）の接続点Ｃを用いることで、図４（Ｃ）に示すように、不平衡端子Ｐｕｎｂから第１平衡端子Ｐｂ１への振幅特性と、不平衡端子Ｐｕｎｂから第２平衡端子Ｐｂ２への振幅特性とが略一致し、優れたバランス特性が得られる。
【００５７】
このように、平衡側インダクタＬ２に対するグランドへの接続点を適宜設定すれば、位相基準点を最適に設定できる。これにより、バランス特性に優れる積層型フィルタを実現することができる。なお、このようなグランドへの接続点の決定は、例えば積層体１００Ａの設計時点等においてシミュレーションで確認することができる。したがって、当該シミュレーション結果に基づいて接続点を適宜決定し、積層体１００Ａを形成すれば、バランス特性の優れる積層型フィルタ１０Ａを容易に実現することができる。
【００５８】
また、本実施形態の構成では、平衡側インダクタＬ２を構成するコイル電極３０１Ａと、不平衡側インダクタＬ１を構成するコイル電極２０２Ａ，４０２Ａを、積層方向に沿って対向させることで電磁界結合させている。この構成により、誘電体層の厚み調整や、積層体１０Ａを平面視した電極の重なり度合いによって、容易に相互インダクタンスＭを設定することができる。また、積層方向に沿って対向させることで、積層体１００Ａの平面視した大きさを小さくすることができる。
【００５９】
また、本実施形態の構成を用い、平衡側インダクタＬ３，Ｌ４を所望のインダクタンスに設定することで、平衡型信号の出力インピーダンスを所望値に設定することができる。また、平衡側インダクタＬ３，Ｌ２，Ｌ４の巻き方向を同じにすることで、損失を低下させ、挿入損失の小さいフィルタを構成することができる。
【００６０】
また、本実施形態の構成を用い、第１平衡側キャパシタＣ２、第２平衡側キャパシタＣ３をそれぞれグランドへ接続することなく、第１平衡端子Ｐｂ１と第２平衡端子Ｐｂ２との間に直列接続することで、第１平衡側キャパシタＣ２、第２平衡側キャパシタＣ３の接続点がフローティンググランドとなり、グランドへの接続パターンや積層型フィルタ１０Ａの実装状態に位相バランスが影響を受けない。これにより、さらに安定したバランス特性が得られる。
【００６１】
また、さらに、第１平衡側キャパシタＣ２、第２平衡側キャパシタＣ３を所望の素子値に設定することで、第１平衡端子Ｐｂ１および第２平衡端子Ｐｂ２との位相バランスを所望値に設定することができる。
【００６２】
また、第１平衡側キャパシタＣ２および第２平衡側キャパシタＣ３を構成する対向電極の一方を共通化することで、第１平衡側キャパシタＣ２と第２平衡側キャパシタＣ３との間の配線パターンを省略できる。これにより、安定した位相バランスを実現できるとともに、小型化も可能になる。
【００６３】
次に、第２の実施形態に係る積層型フィルタについて、図を参照して説明する。なお、本実施形態の積層型フィルタ１０Ｂは、回路構成が第１の実施形態に示した積層型フィルタ１０Ａと同じであるので、回路構成の説明は省略する。
【００６４】
図５は本実施形態に係る積層型フィルタ１０Ｂの外観斜視図である。図６は本実施形態に係る積層型フィルタ１０Ｂの分解斜視図である。
【００６５】
積層型フィルタ１０Ｂは、１３層の誘電体層１０１−１１３を順次積層した積層体１００Ｂによって実現される。
【００６６】
積層体１００Ｂは、図５に示すように、外形形状が略直方体形状からなる。積層体１００Ｂの第１側面には、不平衡端子Ｐｕｎｂ、グランド端子ＧＮＤ、および第１平衡端子Ｐｂ１が、この順で配列形成されている。前記第１側面に対向する積層体１００Ｂの第２側面には、二個のグランド端子ＧＮＤと、第２平衡端子Ｐｂ２とが、この順で配列形成されている。この際、第１平衡端子Ｐｂ１と第２平衡端子Ｐｂ２とが対向するように配置されている。また、これらの側面に直交する第３側面および第４側面には、それぞれ接続用電極Ｓｅが形成されている。接続用電極Ｓｅは、後述する所定の内層電極を接続するパターンであり、当該積層型フィルタ１０Ｂが実装されるマザー基板の機能回路パターンには接続されない。
【００６７】
誘電体層１０１には、外部端子群およびマーキング電極のみが形成されている。
【００６８】
誘電体層１０２には、平面視して略四角形の平板電極２０１Ｂが形成されている。平板電極２０１Ｂは、誘電体層１０２の第１平衡端子Ｐｂ１および第２平衡端子Ｐｂ２側の領域に所定面積（図では略半面）で形成されている。平板電極２０１Ｂは、接続用電極Ｓｅに接続されている。
【００６９】
誘電体層１０３には、平面視して略四角形の平板電極３０１Ｂが形成されている。平板電極３０１Ｂは、平板電極２０１Ｂと積層方向に沿って対向する位置に形成されている。平板電極３０１Ｂは、第１側面の第１平衡端子Ｐｂ１に接続されている。
【００７０】
誘電体層１０２の平板電極２０１Ｂと、誘電体層１０３の平板電極３０１Ｂと、これらの間に介在する誘電体層１０２とにより、第１平衡側キャパシタＣ２が構成される。
【００７１】
誘電体層１０４には、内層電極パターンが形成されていない。
【００７２】
誘電体層１０５には、コイル電極５０１Ｂが形成されている。コイル電極５０１Ｂは一方端が第１側面の第１平衡端子Ｐｂ１に接続されている。コイル電極５０１Ｂは、平面視して、当該一方端を始点として、巻回形に形成されている。コイル電極５０１Ｂの他方端は導電性のビア電極ＶＨ５６を介して、誘電体層１０６のコイル電極６０１Ｂの一方端に接続されている。
【００７３】
誘電体層１０６には、コイル電極６０１Ｂ，６０２Ｂが形成されている。コイル電極６０１Ｂの一方端は、ビア電極ＶＨ５６を介してコイル電極５０１Ｂの他方端に接続されている。コイル電極６０１Ｂは、平面視して、当該一方端を始点として、巻回形に形成されている。この際、コイル電極６０１Ｂは、コイル電極５０１Ｂと同じ巻回方向で形成される。これらコイル電極５０１Ｂ，６０１Ｂとビア電極ＶＨ５６とにより、平衡側インダクタＬ３が構成される。
【００７４】
コイル電極６０１Ｂの他方端は導電性のビア電極ＶＨ６７を介して、誘電体層１０７のコイル電極７０１Ｂの一方端に接続されている。
【００７５】
コイル電極６０２Ｂの一方端は、第１側面の不平衡端子Ｐｕｎｂに接続されている。コイル電極６０２Ｂは、平面視して、当該一方端を始点として、巻回形に形成されている。コイル電極６０２Ｂの他方端は導電性のビア電極ＶＨ６８を介して、誘電体層１０８のコイル電極８０２Ｂの一方端に接続されている。
【００７６】
コイル電極６０２Ｂは、誘電体層１０７のコイル電極７０１Ｂと電磁界結合するように、積層体を平面視してコイル電極７０１Ｂと少なくとも一部が重なる位置に形成されている。
【００７７】
誘電体層１０７には、コイル電極７０１Ｂが形成されている。コイル電極７０１Ｂの一方端は、上述のようにビア電極ＶＨ６７を介してコイル電極６０１Ｂの他方端に接続されている。コイル電極７０１Ｂは、当該一方端を始点として略全面に亘るように巻回形に形成されている。コイル電極７０１Ｂの他方端は導電性のビア電極ＶＨ７８を介して、誘電体層１０８のコイル電極８０１Ｂの一方端に接続されている。このコイル電極７０１Ｂにより、平衡側インダクタＬ２が構成される。
【００７８】
また、コイル電極７０１Ｂの巻回方向に沿った所定位置が、グランド接続用電極９９９Ｂにより第２側面の端のグランド端子ＧＮＤに接続されている。これにより、平衡側インダクタＬ２の所定点がグランド接続される。この際、上述の第１の実施形態と同様に、グランド接続電極９９９Ｂのコイル電極７０１Ｂの接続位置は、所望とするバランス特性が得られるように決定されている。
【００７９】
誘電体層１０８には、コイル電極８０１Ｂ，８０２Ｂが形成されている。コイル電極８０２Ｂの一方端は、上述のようにビア電極ＶＨ６８を介してコイル電極６０２Ｂの他方端に接続されている。コイル電極８０２Ｂは、当該一方端を始点として巻回形に形成されている。この際、コイル電極８０２Ｂは、積層体１００Ｂを平面視してコイル電極６０２Ｂと巻回方向が一致するように形成されている。コイル電極８０２Ｂの他方端は、第２側面の端のグランド端子ＧＮＤに接続されている。これらコイル電極６０２Ｂ、ビア電極ＶＨ６８、およびコイル電極８０２Ｂによって、不平衡側インダクタＬ１が構成される。
【００８０】
なお、コイル電極８０２Ｂも、コイル電極６０２Ｂと同様に、コイル電極７０１Ｂに対して電磁界結合するように、積層体を平面視してコイル電極７０１Ｂと少なくとも一部が重なる位置に形成されている。これにより、平衡側インダクタＬ２と不平衡側インダクタＬ１とによる相互インダクタＭが実現される。
【００８１】
コイル電極８０１Ｂの一方端は、上述のようにビア電極ＶＨ７８を介してコイル電極７０１Ｂの他方端に接続されている。コイル電極８０１Ｂは、当該一方端を始点として巻回形に形成されている。この際、コイル電極８０１Ｂは、積層体１００Ｂを平面視してコイル電極５０１Ｂ，６０１Ｂと巻回方向が一致するように形成されている。コイル電極８０１Ｂの他方端は、ビア電極ＶＨ８９を介して、誘電体層１０９のコイル電極９０１Ｂの一方端に接続されている。
【００８２】
誘電体層１０９には、コイル電極９０１Ｂが形成されている。コイル電極９０１Ｂの一方端は、上述のようにビア電極ＶＨ８９を介してコイル電極８０１Ｂの他方端に接続されている。コイル電極９０１Ｂは、当該一方端を始点として巻回形に形成されている。この際、コイル電極９０１Ｂは、積層体１００Ｂを平面視してコイル電極８０１Ｂと巻回方向が一致するように形成されている。コイル電極９０１Ｂの他方端は、第２側面の第２平衡端子Ｐｂ２に接続されている。このコイル電極８０１Ｂ、ビア電極ＶＨ８９、コイル電極９０１Ｂにより、平衡側インダクタＬ４が構成される。
【００８３】
誘電体層１１０には、内層電極パターンが形成されていない。
【００８４】
誘電体層１１１には、平面視して略四角形の平板電極１１０１Ｂが形成されている。平板電極１１０１Ｂは、積層体１００を平面視して、不平衡側インダクタＬ１を構成するコイル電極６０２Ｂ，８０２Ｂの形成領域側、すなわち、コイル電極６０２Ｂ，８０２Ｂと平面視して重なる領域に形成されている。
【００８５】
誘電体層１１２には、平面視して略四角形の平板電極１２０１Ｂ，１２０２Ｂが形成されている。平板電極１２０２Ｂは、平板電極１１０１Ｂと積層方向に沿って対向する位置に形成されている。この構成により、平板電極１２０２Ｂ，１１０１Ｂと誘電体層１１１とにより、不平衡側キャパシタＣ１が構成される。平板電極１２０２Ｂは、第１側面のグランド端子ＧＮＤおよび第２側面の中央のグランド端子ＧＮＤに接続されている。これにより、不平衡側キャパシタＣ１と不平衡側インダクタＬ１との共振回路が構成される。
【００８６】
平板電極１２０１Ｂは、積層体１００Ｂを平面視して、平衡側インダクタＬ３，Ｌ４を構成するコイル電極５０１Ｂ，６０１Ｂ，８０１Ｂ，９０１Ｂの形成領域側、すなわち、コイル電極５０１Ｂ，６０１Ｂ，８０１Ｂ，９０１Ｂと平面視して重なる領域に形成されている。平板電極１２０１Ｂは、第２側面の第２平衡端子Ｐｂ２に接続されている。
【００８７】
誘電体層１１３には、平面視して略四角形の平板電極１３０１Ｂが形成されている。平板電極１３０１Ｂは、平板電極１２０１Ｂと積層方向に沿って対向するように、形成されている。平板電極１３０１Ｂは、接続用電極Ｓｅに接続されている。
【００８８】
誘電体層１１２の平板電極１２０１Ｂと、誘電体層１１３の平板電極１３０１Ｂと、これらの間に介在する誘電体層１１２とにより、第２平衡側キャパシタＣ３が構成される。
【００８９】
以上のような構成であっても、平衡側インダクタＬ２を構成するコイル電極７０１Ｂが適切な位置でグランドへ接続されるので、上述の実施形態と同様に、安定したバランス特性の積層型フィルタ１０Ｂを実現することができる。
【００９０】
また、本実施形態の構成を用い、平衡側インダクタＬ３，Ｌ４を所望のインダクタンスに設定することで、平衡型信号の出力インピーダンスを所望値に設定することができる。また、平衡側インダクタＬ３，Ｌ２，Ｌ４の巻き方向を同じにすることで、損失を低下させ、挿入損失の小さいフィルタを構成することができる。
【００９１】
さらに、本実施形態に示すように、第１平衡側キャパシタＣ２と第２平衡側キャパシタＣ３とを、積層方向に沿って列ぶように形成することで、第１平衡側キャパシタＣ２と第２平衡側キャパシタＣ３とを、上述の各実施形態と同じキャパシタンスに設定する場合に、上述の各実施形態の構成よりも平面形状を小さくすることができる。また、同じ平面形状であれば、より大きなキャパシタンスを実現することができる。
【００９２】
次に、第３の実施形態に係る積層型フィルタについて、図を参照して説明する。本実施形態の積層型フィルタ１０Ｃは、第１の実施形態に示した積層型フィルタ１０Ａに対して、ＤＣフィード端子Ｐｄｃと接地用のキャパシタＣｇとを追加したものである。
【００９３】
図７は本実施形態に係る積層型フィルタ１０Ｃの回路図である。図７に示すように、積層型フィルタ１０Ｃは、平衡側インダクタＬ２の中点にＤＣフィード端子Ｐｄｃが接続されている。ＤＣフィード端子Ｐｄｃと平衡側インダクタＬ２との接続ラインは、キャパシタＣｇを介してグランドへ接続されている。なお、その他の構成は、第１の実施形態に示した積層型フィルタ１０Ａと同じであるので、回路構成の説明は省略する。
【００９４】
図８は本実施形態に係る積層型フィルタ１０Ｃの外観斜視図である。図８に示すように、外形形状が略直方体形状からなる。積層体１００Ｃの第１側面には、不平衡端子Ｐｕｎｂ、ＤＣフィード端子Ｐｄｃの外部電極（以下、ＤＣフィード端子Ｐｄｃと称する。）、および第１平衡端子Ｐｂ１が、この順で配列形成されている。前記第１側面に対向する積層体１００Ｃの第２側面には、二個のグランド端子ＧＮＤと、第２平衡端子Ｐｂ２とが、この順で配列形成されている。この際、第１平衡端子Ｐｂ１と第２平衡端子Ｐｂ２とが対向するように配置されている。また、これらの側面に直交する第３側面および第４側面には、それぞれ接続用電極Ｓｅが形成されている。接続用電極Ｓｅは、後述する所定の内層電極を接続するパターンであり、積層型フィルタ１０Ｃが実装されるマザー基板の機能回路パターンには接続されない。
【００９５】
図９は本実施形態に係る積層型フィルタ１０Ｃの分解斜視図である。積層型フィルタ１０Ｃは、１３層の誘電体層１０１−１１３を順次積層した積層体１００Ｃによって実現される。
【００９６】
誘電体層１０１には、外部端子群およびマーキング電極のみが形成されている。
【００９７】
誘電体層１０２には、平面視して略四角形の平板電極２０１Ｃが形成されている。平板電極２０１Ｃは、誘電体層１０２の第１平衡端子Ｐｂ１および第２平衡端子Ｐｂ２側の領域に所定面積（図では略半面）で形成されている。平板電極２０１Ｃは、接続用電極Ｓｅに接続されている。
【００９８】
誘電体層１０３には、平面視して略四角形の平板電極３０１Ｃが形成されている。平板電極３０１Ｃは、平板電極２０１Ｃと積層方向に沿って対向する位置に形成されている。平板電極３０１Ｃは、第１側面の第１平衡端子Ｐｂ１に接続されている。
【００９９】
誘電体層１０２の平板電極２０１Ｃと、誘電体層１０３の平板電極３０１Ｃと、これらの間に介在する誘電体層１０２とにより、第１平衡側キャパシタＣ２が構成される。
【０１００】
誘電体層１０４には、内層電極パターンが形成されていない。
【０１０１】
誘電体層１０５には、コイル電極５０１Ｃが形成されている。コイル電極５０１Ｃは一方端が第１側面の第１平衡端子Ｐｂ１に接続されている。コイル電極５０１Ｃは、平面視して、当該一方端を始点として、巻回形に形成されている。コイル電極５０１Ｃの他方端は導電性のビア電極ＶＨ５６を介して、誘電体層１０６のコイル電極６０１Ｃの一方端に接続されている。
【０１０２】
誘電体層１０６には、コイル電極６０１Ｃ，６０２Ｃが形成されている。コイル電極６０１Ｃの一方端は、ビア電極ＶＨ５６を介してコイル電極５０１Ｃの他方端に接続されている。コイル電極６０１Ｃは、平面視して、当該一方端を始点として、巻回形に形成されている。この際、コイル電極６０１Ｃは、コイル電極５０１Ｃと同じ巻回方向で形成される。これらコイル電極５０１Ｃ，６０１Ｃとビア電極ＶＨ５６とにより、平衡側インダクタＬ３が構成される。
【０１０３】
コイル電極６０１Ｃの他方端は導電性のビア電極ＶＨ６７を介して、誘電体層１０７のコイル電極７０１Ｃの一方端に接続されている。
【０１０４】
コイル電極６０２Ｃの一方端は、第１側面の不平衡端子Ｐｕｎｂに接続されている。コイル電極６０２Ｃは、平面視して、当該一方端を始点として、巻回形に形成されている。コイル電極６０２Ｃの他方端は導電性のビア電極ＶＨ６８を介して、誘電体層１０８のコイル電極８０２Ｃの一方端に接続されている。
【０１０５】
コイル電極６０２Ｃは、誘電体層１０７のコイル電極７０１Ｃと電磁界結合する位置に形成されている。
【０１０６】
誘電体層１０７には、コイル電極７０１Ｃが形成されている。コイル電極７０１Ｃの一方端は、上述のようにビア電極ＶＨ６７を介してコイル電極６０１Ｃの他方端に接続されている。コイル電極７０１Ｃは、当該一方端を始点として略全面に亘るように巻回形に形成されている。コイル電極７０１Ｃの他方端は導電性のビア電極ＶＨ７８を介して、誘電体層１０８のコイル電極８０１Ｃの一方端に接続されている。このコイル電極７０１Ｃにより、平衡側インダクタＬ２が構成される。
【０１０７】
コイル電極７０１Ｃの巻回方向の所定位置は、ビア電極ＶＨ７１０を介して誘電体層１１０の平板電極１００１Ｃへ接続されている。平板電極１００１Ｃは、後述するように、キャパシタＣｇを構成する対向電極の一つであり、当該キャパシタＣｇを構成するもう一つの対向電極となる平板電極１１０１Ｃは、第２側面のグランド接続端子ＧＮＤに接続されている。これにより、コイル電極７０１Ｃの所定位置は、キャパシタＣｇを介してグランドへ接続される。したがって、コイル電極７０１Ｃへのビア電極ＶＨ７１０の接続位置を、上述の実施形態と同様に適宜設定することで、平衡側インダクタＬ２に対する最適な位相基準点を設定でき、安定したバランス特性を実現できる。
【０１０８】
誘電体層１０８には、コイル電極８０１Ｃ，８０２Ｃが形成されている。コイル電極８０２Ｃの一方端は、上述のようにビア電極ＶＨ６８を介してコイル電極６０２Ｃの他方端に接続されている。コイル電極８０２Ｃは、当該一方端を始点として巻回形に形成されている。この際、コイル電極８０２Ｃは、積層体１００Ｃを平面視してコイル電極６０２Ｃと巻回方向が一致するように形成されている。コイル電極８０２Ｃの他方端は、第２側面の端のグランド端子ＧＮＤに接続されている。これらコイル電極６０２Ｃ、ビア電極ＶＨ６８、およびコイル電極８０２Ｃによって、不平衡側インダクタＬ１が構成される。
【０１０９】
なお、コイル電極８０２Ｃも、コイル電極６０２Ｃと同様に、コイル電極７０１Ｃに対して電磁界結合する位置に形成されている。これにより、平衡側インダクタＬ２と不平衡側インダクタＬ１とによる相互インダクタＭが実現される。
【０１１０】
コイル電極８０１Ｃの一方端は、上述のようにビア電極ＶＨ７８を介してコイル電極７０１Ｃの他方端に接続されている。コイル電極８０１Ｃは、当該一方端を始点として巻回形に形成されている。この際、コイル電極８０１Ｃは、積層体１００Ｃを平面視してコイル電極５０１Ｃ，６０１Ｃと巻回方向が一致するように形成されている。コイル電極８０１Ｃの他方端は、ビア電極ＶＨ８９を介して、誘電体層９０１のコイル電極９０１Ｃの一方端に接続されている。
【０１１１】
誘電体層１０９には、コイル電極９０１Ｃが形成されている。コイル電極９０１Ｃの一方端は、上述のようにビア電極ＶＨ８９を介してコイル電極８０１Ｃの他方端に接続されている。コイル電極９０１Ｃは、当該一方端を始点として巻回形に形成されている。この際、コイル電極９０１Ｃは、積層体１００Ｃを平面視してコイル電極８０１Ｃと巻回方向が一致するように形成されている。コイル電極９０１Ｃの他方端は、第２側面の第２平衡端子Ｐｂ２に接続されている。このコイル電極８０１Ｃ、ビア電極ＶＨ８９、コイル電極９０１Ｃにより、平衡側インダクタＬ４が構成される。
【０１１２】
誘電体層１１０には、平面視して略四角形の平板電極１００１Ｃが形成されている。平板電極１００１Ｃは、積層体１００Ｃを平面視して、不平衡側インダクタＬ１を構成するコイル電極の形成領域側に形成されている。平板電極１００１Ｃは、第１側面のＤＣフィード端子Ｐｄｃに接続されている。
【０１１３】
誘電体層１１１には、平面視して略四角形の平板電極１１０１Ｃが形成されている。平板電極１１０１Ｃは、積層体１００Ｃを平面視して、不平衡側インダクタＬ１を構成するコイル電極の形成領域側に形成されている。この際、平板電極１１０１Ｃは、平板電極１００１Ｃと、積層方向に沿って対向する位置に形成されている。平板電極１１０１Ｃは、グランド接続用電極９９９Ｃを介して、第２側面のグランド接続端子ＧＮＤへ接続されている。平板電極１００１Ｃ，１１０１Ｃと誘電体層１１０とにより、接地用のキャパシタＣｇが構成される。このキャパシタＣｇにより、ＤＣフィード端子を通過する信号の高周波成分を除去することができる。
【０１１４】
誘電体層１１２には、平面視して略四角形の平板電極１２０１Ｃ，１２０２Ｃが形成されている。平板電極１２０２Ｃは、平板電極１１０１Ｃと積層方向に沿って対向する位置に形成されている。この構成により、平板電極１２０２Ｃ，１１０１Ｃと誘電体層１１１とにより、不平衡側キャパシタＣ１が構成される。平板電極１２０２Ｃは、第１側面の不平衡端子Ｐｕｎｂに接続される。この構成により、不平衡側キャパシタＣ１と不平衡側インダクタＬ１との共振回路が構成される。
【０１１５】
平板電極１２０１Ｃは、積層体１００Ｃを平面視して、平衡側インダクタＬ３，Ｌ４を構成するコイル電極の形成領域側に形成されている。平板電極１２０１Ｃは、第２側面の第２平衡端子Ｐｂ２に接続されている。
【０１１６】
誘電体層１１３には、平面視して略四角形の平板電極１３０１Ｃが形成されている。平板電極１３０１Ｃは、平板電極１２０１Ｃと積層方向に沿って対向するように、形成されている。平板電極１３０１Ｃは、接続用電極Ｓｅに接続されている。
【０１１７】
誘電体層１１２の平板電極１２０１Ｃと、誘電体層１１３の平板電極１３０１Ｃと、これらの間に介在する誘電体層１１２とにより、第２平衡側キャパシタＣ３が構成される。
【０１１８】
このように、本実施形態の構成を用いることで、ＤＣフィード端子Ｐｄｃを有する構成であっても、第２実施形態と同様の作用効果を得ることができる。
【０１１９】
また、本実施形態の構成とすることで、ＤＣフィード端子Ｐｄｃから入力される信号の高周波成分を除去しながら、平衡出力側のバイアス電圧を設定できる。
【０１２０】
また、本実施形態の構成を用い、平衡側インダクタＬ３，Ｌ４を所望のインダクタンスに設定することで、平衡型信号の出力インピーダンスを所望値に設定することができる。また、平衡側インダクタＬ３，Ｌ２，Ｌ４の巻き方向を同じにすることで、損失を低下させ、挿入損失の小さいフィルタを構成することができる。
【０１２１】
次に、第４の実施形態に係る積層型フィルタについて、図を参照して説明する。上述の各実施形態では、一個の積層体で一個のバランスフィルタ回路を形成する例を示したが、以下の各実施形態では、一個の積層体で二個のバランスフィルタ回路を形成する例を示す。
【０１２２】
図１０は本実施形態の積層型フィルタ１０Ｄの回路図である。図１０に示すように、本実施形態の積層型フィルタ１０Ｄは、第１実施形態の図１に示したフィルタ回路を一個の積層体で二個形成したものである。
【０１２３】
＜回路構成＞
積層型フィルタ１０Ｄを構成する第１フィルタ回路は、不平衡型信号を入出力する不平衡端子Ｐｕｎｂａと、平衡型信号を入出力する第１平衡端子Ｐｂａ１および第２平衡端子Ｐｂａ２を備える。
【０１２４】
不平衡端子Ｐｕｎｂａとグランドとの間には、不平衡側キャパシタＣ１ａと不平衡側インダクタＬ１ａとの並列共振回路が接続されている。
【０１２５】
第１平衡端子Ｐｂａ１と第２平衡端子Ｐｂａ２との間には、三個の平衡側インダクタＬ３ａ，Ｌ２ａ，Ｌ４ａが直列接続されている。この際、平衡側インダクタＬ３ａ，Ｌ２ａ，Ｌ４ａは、第１平衡端子Ｐｂａ１側から、平衡側インダクタＬ３ａ，Ｌ２ａ，Ｌ４ａの順で接続されている。これら平衡側インダクタＬ３ａ，Ｌ２ａ，Ｌ４ａは、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【０１２６】
平衡側インダクタＬ２ａは、不平衡側インダクタＬ１ａと電磁界結合するように、配置されている。この構成より、平衡側インダクタＬ２ａと不平衡側インダクタＬ１ａとの間には相互インダクタＭａが作用する。平衡側インダクタＬ２ａは、所定点がグランドに接続されている。
【０１２７】
第１平衡端子Ｐｂａ１と第２平衡端子Ｐｂａ２との間には、第１平衡側キャパシタＣ２ａと第２平衡側キャパシタＣ３ａとの直列回路が接続されている。この際、第１平衡側キャパシタＣ２ａと第２平衡側キャパシタＣ３ａとは、第１平衡端子Ｐｂａ１側から、第１平衡側キャパシタＣ２ａ、第２平衡側キャパシタＣ３ａの順で接続されている。
【０１２８】
積層型フィルタ１０Ｄを構成する第２フィルタ回路は、不平衡型信号を入出力する不平衡端子Ｐｕｎｂｂと、平衡型信号を入出力する第１平衡端子Ｐｂｂ１および第２平衡端子Ｐｂｂ２を備える。
【０１２９】
不平衡端子Ｐｕｎｂｂとグランドとの間には、不平衡側キャパシタＣ１ｂと不平衡側インダクタＬ１ｂとの並列共振回路が接続されている。
【０１３０】
第１平衡端子Ｐｂｂ１と第２平衡端子Ｐｂｂ２との間には、三個の平衡側インダクタＬ３ｂ，Ｌ２ｂ，Ｌ４ｂが直列接続されている。この際、平衡側インダクタＬ３ｂ，Ｌ２ｂ，Ｌ４ｂは、第１平衡端子Ｐｂｂ１側から、平衡側インダクタＬ３ｂ，Ｌ２ｂ，Ｌ４ｂの順で接続されている。これら平衡側インダクタＬ３ｂ，Ｌ２ｂ，Ｌ４ｂは、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【０１３１】
平衡側インダクタＬ２ｂは、不平衡側インダクタＬ１ｂと電磁界結合するように、配置されている。この構成より、平衡側インダクタＬ２ｂと不平衡側インダクタＬ１ｂとの間には相互インダクタＭｂが作用する。平衡側インダクタＬ２ｂは、所定点がグランドに接続されている。
【０１３２】
第１平衡端子Ｐｂｂ１と第２平衡端子Ｐｂｂ２との間には、第１平衡側キャパシタＣ２ｂと第２平衡側キャパシタＣ３ｂとの直列回路が接続されている。この際、第１平衡側キャパシタＣ２ｂと第２平衡側キャパシタＣ３ｂとは、第１平衡端子Ｐｂｂ１側から、第１平衡側キャパシタＣ２ｂ、第２平衡側キャパシタＣ３ｂの順で接続されている。
【０１３３】
＜構造説明＞
次に、上述の回路構成からなる積層型フィルタ１０Ｄの構造について説明する。図１１は本実施形態に係る積層型フィルタ１０Ｄの外観斜視図である。図１２は本実施形態に係る積層型フィルタ１０Ｄの分解斜視図である。
【０１３４】
第１フィルタ回路を構成する各回路素子と、第２フィルタ回路を構成する各回路素子とは、高周波的に結合しないように、積層体１００Ｄを平面視して個別の領域に形成されている。また、具体的な巻回形状は図１２に示すが、インダクタの巻回方向は、フィルタ回路同士で逆になっている。これにより、第１フィルタ回路と第２フィルタ回路との結合が抑制される。
【０１３５】
積層型フィルタ１０Ｄは、１０層の誘電体層１０１Ｔ−１１０Ｔを順次積層した積層体１００Ｄによって実現される。
【０１３６】
積層体１００Ｄは、図１１に示すように、外形形状が略直方体形状からなる。積層体１００Ｄの第１側面には、第１フィルタ回路の不平衡端子用の外部電極（以下、不平衡端子Ｐｕｎｂａと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０１３７】
前記第１側面に対向する積層体１００Ｄの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。上述の各実施形態と同様に、以下の各誘電体層の説明では、内層電極との接続関係を除き、これら外部端子の形成位置および形状の説明は省略する。
【０１３８】
積層体１００Ｄの最上層となる誘電体層１０１Ｔには、上記外部端子の電極パターンのみが形成されている。なお、図示しないが、誘電体層１０１Ｔの天面、すなわち積層体１００Ｄの天面に、実装方向を定義するためのマーキング電極が形成されている。
【０１３９】
誘電体層１０２Ｔには、コイル電極２０１Ｄａ，２０１Ｄｂが形成されている。コイル電極２０１Ｄａは一方端が第２側面の第１フィルタ回路の第１平衡端子Ｐｂａ１に接続されている。コイル電極２０１Ｄａは平面視して、当該一方端を始点として、巻回形に形成されている。コイル電極２０１Ｄａの他方端は導電性のビア電極ＶＨ２３ａを介して、誘電体層１０３Ｔのコイル電極３０１Ｄａの一方端に接続されている。
【０１４０】
コイル電極２０１Ｄｂは一方端が第２側面の第２フィルタ回路の第１平衡端子Ｐｂｂ１に接続されている。コイル電極２０１Ｄｂは平面視して、当該一方端を始点として、巻回形に形成されている。コイル電極２０１Ｄｂの他方端は導電性のビア電極ＶＨ２３ｂを介して、誘電体層１０３Ｔのコイル電極３０１Ｄｂの一方端に接続されている。
【０１４１】
誘電体層１０３Ｔには、コイル電極３０１Ｄａ，３０１Ｄｂ，３０１Ｄｃ，３０１Ｄｄが形成されている。
【０１４２】
コイル電極３０１Ｄａは一方端がビア電極ＶＨ２３ａを介してコイル電極２０１Ｄａの他方端に接続されている。コイル電極３０１Ｄａは平面視して、当該一方端を始点として、コイル電極２０１Ｄａと同じ方向へ巻回する巻回形に形成されている。コイル電極３０１Ｄａの他方端は導電性のビア電極ＶＨ３４ａを介して、誘電体層１０４Ｔのコイル電極４０１Ｄａの一方端に接続されている。コイル電極３０１Ｄａと、コイル電極２０１Ｄａおよびビア電極ＶＨ２３ａとにより、第１フィルタ回路の平衡側インダクタＬ３ａが構成される。
【０１４３】
コイル電極３０１Ｄｂは一方端がビア電極ＶＨ２３ｂを介してコイル電極２０１Ｄｂの他方端に接続されている。コイル電極３０１Ｄｂは、平面視して、当該一方端を始点として、コイル電極２０１Ｄｂと同じ方向へ巻回する巻回形に形成されている。コイル電極３０１Ｄｂの他方端は導電性のビア電極ＶＨ３４ｂを介して、誘電体層１０４Ｔのコイル電極４０１Ｄｂの一方端に接続されている。コイル電極３０１Ｄｂと、コイル電極２０１Ｄｂおよびビア電極ＶＨ２３ｂとにより、第２フィルタ回路の平衡側インダクタＬ３ｂが構成される。
【０１４４】
コイル電極３０１Ｄｃは、一方端が第１側面の第１フィルタのグランド端子ＧＮＤに接続されている。コイル電極３０１Ｄｃは、平面視して、当該一方端を始点として巻回形に形成されている。コイル電極３０１Ｄｃの他方端は導電性のビア電極ＶＨ３５ａを介して、誘電体層１０５Ｔのコイル電極５０１Ｄｃの一方端に接続されている。
【０１４５】
コイル電極３０１Ｄｄは、一方端が第１側面の第２フィルタのグランド端子ＧＮＤに接続されている。コイル電極３０１Ｄｄは、平面視して、当該一方端を始点として巻回形に形成されている。コイル電極３０１Ｄｄの他方端は導電性のビア電極ＶＨ３５ｂを介して、誘電体層１０５Ｔのコイル電極５０１Ｄｄの一方端に接続されている。
【０１４６】
誘電体層１０４Ｔには、コイル電極４０１Ｄａ，４０１Ｄｂが形成されている。コイル電極４０１Ｄａの一方端は、ビア電極ＶＨ３４ａを介して、コイル電極３０１Ｄａの他方端に接続されている。コイル電極４０１Ｄａは、その少なくとも一部がコイル電極３０１Ｄｃと平面視して重なり合うように、すなわち、コイル電極３０１Ｄｃと電磁界結合するように、巻回形状に形成されている。コイル電極４０１Ｄａの他方端は、ビア電極ＶＨ４５ａを介して、誘電体層１０５Ｔのコイル電極５０１Ｄａの一方端に接続されている。このコイル電極４０１Ｄａにより、第１フィルタ回路の平衡側インダクタＬ２ａが構成される。
【０１４７】
コイル電極４０１Ｄａの巻回方向に沿った所定位置は、グランド接続用電極９９９Ｄａを介して、第１側面のグランド接続端子ＧＮＤへ接続されている。このコイル電極４０１Ｄａに対するグランド接続用電極９９９Ｄａの接続位置も、上述の各実施形態に示した構成と同様に、最適な位相基準点を設定し、所定のバランス特性が得られるような位置に設定されている。
【０１４８】
コイル電極４０１Ｄｂの一方端は、ビア電極ＶＨ３４ｂを介して、コイル電極３０１Ｄｂの他方端に接続されている。コイル電極４０１Ｄｂは、その少なくとも一部がコイル電極３０１Ｄｄと平面視して重なり合うように、すなわち、コイル電極３０１Ｄｄと電磁界結合するように、巻回形状に形成されている。コイル電極４０１Ｄｂの他方端は、ビア電極ＶＨ４５ｂを介して、誘電体層１０５Ｔのコイル電極５０１Ｄｂの一方端に接続されている。このコイル電極４０１Ｄｂにより、第２フィルタ回路の平衡側インダクタＬ２ｂが構成される。
【０１４９】
コイル電極４０１Ｄｂの巻回方向に沿った所定位置は、グランド接続用電極９９９Ｄｂを介して、第１側面のグランド接続端子ＧＮＤへ接続されている。このコイル電極４０１Ｄｂに対するグランド接続用電極９９９Ｄｂの接続位置も、上述の各実施形態に示した構成と同様に、最適な位相基準点を設定し、所定のバランス特性が得られるような位置に設定されている。
【０１５０】
誘電体層１０５Ｔには、コイル電極５０１Ｄａ，５０１Ｄｂ，５０１Ｄｃ，５０１Ｄｄが形成されている。
【０１５１】
コイル電極５０１Ｄａの一方端は、ビア電極ＶＨ４５ａを介してコイル電極４０１Ｄａに接続されている。コイル電極５０１Ｄａは、平面視して、当該一方端を始点する巻回形に形成されている。この際、コイル電極５０１Ｄａは、積層体１００Ｄを平面視して第１フィルタ回路の第１、第２平衡端子Ｐｂａ１，Ｐｂａ２側の領域、すなわち、上述のコイル電極２０１Ｄａ，３０１Ｄａと重なり合うような領域に形成されている。コイル電極５０１Ｄａの他方端は、ビア電極ＶＨ５６ａを介して、誘電体層１０６Ｔのコイル電極６０１Ｄａの一方端に接続されている。
【０１５２】
コイル電極５０１Ｄｂの一方端は、ビア電極ＶＨ４５ｂを介してコイル電極４０１Ｄｂに接続されている。コイル電極５０１Ｄｂは、平面視して、当該一方端を始点する巻回形に形成されている。この際、コイル電極５０１Ｄｂは、積層体１００Ｄを平面視して第２フィルタ回路の第１、第２平衡端子Ｐｂｂ１，Ｐｂｂ２側の領域、すなわち、上述のコイル電極２０１Ｄｂ，３０１Ｄｂと重なり合うような領域に形成されている。コイル電極５０１Ｄｂの他方端は、ビア電極ＶＨ５６ｂを介して、誘電体層１０６Ｔのコイル電極６０１Ｄｂの一方端に接続されている。
【０１５３】
コイル電極５０１Ｄｃの一方端は、ビア電極ＶＨ３５ａを介してコイル電極３０１Ｄｃに接続されている。コイル電極５０１Ｄｃは、平面視して、当該一方端を始点としてコイル電極３０１Ｄｃと同じ方向に巻回する巻回形に形成されている。この際、コイル電極５０１Ｄｃも、コイル電極４０１Ｄａと電磁界結合するように、積層体を平面視してコイル電極４０１Ｄａと少なくとも一部が重なる位置に形成されている。コイル電極５０１Ｄｃの他方端は、第１フィルタ回路の不平衡端子Ｐｕｎｂａに接続されている。コイル電極５０１Ｄｃと、コイル電極３０１Ｄｃおよびビア電極ＶＨ３５ａにより、第１フィルタ回路の不平衡側インダクタＬ１ａが構成される。
【０１５４】
コイル電極５０１Ｄｄの一方端は、ビア電極ＶＨ３５ｂを介してコイル電極３０１Ｄｄに接続されている。コイル電極５０１Ｄｄは、平面視して、当該一方端を始点としてコイル電極３０１Ｄｄと同じ方向に巻回する巻回形に形成されている。この際、コイル電極５０１Ｄｄも、コイル電極４０１Ｄｂと電磁界結合するように、積層体を平面視してコイル電極４０１Ｄｂと少なくとも一部が重なる位置に形成されている。コイル電極５０１Ｄｄの他方端は、第２フィルタ回路の不平衡端子Ｐｕｎｂｂに接続されている。コイル電極５０１Ｄｄと、コイル電極３０１Ｄｄおよびビア電極ＶＨ３５ｂとにより、第２フィルタ回路の不平衡側インダクタＬ１ｂが構成される。
【０１５５】
誘電体層１０６Ｔには、コイル電極６０１Ｄａ，６０１Ｄｂが形成されている。コイル電極６０１Ｄａの一方端は、ビア電極ＶＨ５６ａを介してコイル電極５０１Ｄａの他方端に接続されている。コイル電極６０１Ｄａは、平面視して、当該一方端を始点としてコイル電極５０１Ｄａと同じ方向に巻回する巻回形状に形成されている。コイル電極６０１Ｄａと、コイル電極５０１Ｄａおよびビア電極ＶＨ５６ａとにより、第１フィルタ回路の平衡側インダクタＬ４ａが構成される。
【０１５６】
コイル電極６０１Ｄｂの一方端は、ビア電極ＶＨ５６ｂを介してコイル電極５０１Ｄｂの他方端に接続されている。コイル電極６０１Ｄｂは、平面視して、当該一方端を始点としてコイル電極５０１Ｄｂと同じ方向に巻回する巻回形状に形成されている。コイル電極６０１Ｄｂと、コイル電極５０１Ｄｂおよびビア電極ＶＨ５６ｂとにより、第２フィルタ回路の平衡側インダクタＬ４ｂが構成される。
【０１５７】
誘電体層１０７Ｔには、それぞれが所定の面積からなり、平面視して略四角形の平板電極７０１Ｄａ，７０１Ｄｂ、７０１Ｄｃ，７０１Ｄｄが形成されている。
【０１５８】
平板電極７０１Ｄｃは、積層体１００Ｄを平面視した第１フィルタ回路の不平衡端子Ｐｕｎｂａ側の領域に形成されている。すなわち、平板電極７０１Ｄｃは、積層体１００Ｄを平面視して、コイル電極３０１Ｄｃ，５０１Ｄｃの形成領域と重なるように形成されている。平板電極７０１Ｄｃは、第１側面のグランド端子ＧＮＤに接続されている。
【０１５９】
平板電極７０１Ｄｄは、積層体１００Ｄを平面視した第２フィルタ回路の不平衡端子Ｐｕｎｂｂ側の領域に形成されている。すなわち、平板電極７０１Ｄｄは、積層体１００Ｄを平面視して、コイル電極３０１Ｄｄ，５０１Ｄｄの形成領域と重なるように形成されている。平板電極７０１Ｄｄは、第１側面のグランド端子ＧＮＤに接続されている。
【０１６０】
平板電極７０１Ｄａは、積層体１００Ｄを平面視した第１フィルタ回路の第１、第２平衡端子Ｐｂａ１，Ｐｂａ２側の領域に形成されている。平板電極７０１Ｄａは、グランド端子ＧＮＤを含む外部端子に接続しない浮き電極である。
【０１６１】
平板電極７０１Ｄｂは、積層体１００Ｄを平面視した第２フィルタ回路の第１、第２平衡端子Ｐｂｂ１，Ｐｂｂ２側の領域に形成されている。平板電極７０１Ｄｂは、グランド端子ＧＮＤを含む外部端子に接続しない浮き電極である。
【０１６２】
誘電体層１０８Ｔには、それぞれが所定の面積からなり、平面視して略四角形の平板電極８０１Ｄａ，８０１Ｄｂ，８０１Ｄｃ，８０１Ｄｄ，８０１Ｄｅ，８０１Ｄｆが形成されている。
【０１６３】
平板電極８０１Ｄｅは、積層体１００Ｄを平面視して、平板電極７０１Ｄｃと対向するように形成されている。これら平板電極８０１Ｄｅ，７０１Ｄｃおよび誘電体層１０７Ｔにより、第１フィルタ回路の不平衡側キャパシタＣ１ａが構成される。
【０１６４】
平板電極８０１Ｄｆは、積層体１００Ｄを平面視して、平板電極７０１Ｄｄと積層方向に沿って対向するように形成されている。これら平板電極８０１Ｄｆ，７０１Ｄｄおよび誘電体層１０７Ｔにより、第２フィルタ回路の不平衡側キャパシタＣ１ｂが構成される。
【０１６５】
平板電極８０１Ｄａ，８０１Ｄｂは、それぞれ平板電極７０１Ｄａと積層方向に沿って対向するように形成されている。平板電極８０１Ｄｃ，８０１Ｄｄは、それぞれ平板電極７０１Ｄｂと積層方向に沿って対向するように形成されている。
【０１６６】
誘電体層１０９Ｔには、それぞれが所定の面積からなり、平面視して略四角形の平板電極９０１Ｄａ，９０１Ｄｂが形成されている。平板電極９０１Ｄａは、平板電極８０１Ｄａ，８０１Ｄｂと積層方向に沿って対向するように形成されている。これら平板電極９０１Ｄａ，８０１Ｄａ，７０１Ｄａと誘電体層１０７Ｔ，１０８Ｔとにより、第１フィルタ回路の第１平衡側キャパシタＣ２ａが構成される。これら平板電極９０１Ｄａ，８０１Ｄｂ，７０１Ｄａと誘電体層１０７Ｔ，１０８Ｔとにより、第１フィルタ回路の第２平衡側キャパシタＣ３ａが構成される。
【０１６７】
平板電極９０１Ｄｂは、平板電極８０１Ｄｃ，８０１Ｄｄと積層方向に沿って対向するように形成されている。
【０１６８】
誘電体層１１０Ｔには、それぞれが所定の面積からなり、平面視して略四角形の平板電極１００１Ｄａ，１００１Ｄｂが形成されている。平板電極１００１Ｄａ，１００１Ｄｂは、それぞれ平板電極９０１Ｄｂと積層方向に沿って対向するように形成されている。
【０１６９】
平板電極７０１Ｄｂ，８０１Ｄｃ，９０１Ｄｂ，１００１Ｄｂと誘電体層１０７Ｔ，１０８Ｔ，１０９Ｔとにより第２フィルタ回路の第２平衡側キャパシタＣ３ｂが構成される。平板電極７０１Ｄｂ，８０１Ｄｄ，９０１Ｄｂ，１００１Ｄｂと誘電体層１０７Ｔ，１０８Ｔ，１０９Ｔとにより第２フィルタ回路の第１平衡側キャパシタＣ２ｂが構成される。
【０１７０】
平板電極１００１Ｄａは、第２フィルタ回路の第２平衡端子Ｐｂｂ２に接続されている。平板電極１００１Ｄｂは、第２フィルタ回路の第１平衡端子Ｐｂｂ１に接続されている。
【０１７１】
以上のように、本実施形態の構成を用いれば、単体の積層体に複数のフィルタ回路を形成するような場合であっても、上述の各実施形態と同様に、フィルタ回路毎に最適な位相基準点を設定でき、安定したバランス特性の積層型フィルタを実現することができる。
【０１７２】
また、本実施形態の構成を用い、第１フィルタ回路の平衡側インダクタＬ３ａ，Ｌ４ａおよび第２フィルタ回路の平衡側インダクタＬ３ｂ，Ｌ４ｂを所望のインダクタンスに設定することで、平衡型信号の出力インピーダンスを所望値に設定することができる。また、第１フィルタ回路の平衡側インダクタＬ３ａ，Ｌ２ａ，Ｌ４ａおよび第２フィルタ回路の平衡側インダクタＬ３ｂ、Ｌ２ｂ，Ｌ４ｂの巻き方向を同じにすることで、フィルタ回路毎の損失を低下させ、挿入損失の小さいフィルタを構成することができる。
【０１７３】
次に、第５の実施形態に係る積層型フィルタについて、図を参照して説明する。本実施形態の積層型フィルタ１０Ｅは、第５の実施形態に示した積層型フィルタ１０Ｄに対して、平衡側インダクタＬ２ａ，Ｌ２ｂの所定点をグランド接続する構成ではなく、平衡側インダクタＬ２ａ，Ｌ２ｂの所定点にＤＣフィード端子Ｐｄｃを接続し、接地用のキャパシタＣｇａ，ＣＧｂを備えた構成からなる。
【０１７４】
図１３は本実施形態に係る積層型フィルタ１０Ｅの回路図である。図１３に示すように、第１フィルタ回路の平衡側インダクタＬ２ａの所定点は、ＤＣフィード端子Ｐｄｃに接続されている。Ｄｃフィード端子Ｐｄｃと平衡側インダクタＬ２ａとの接続ラインは、Ｃｇａを介してグランドへ接続されている。なお、その他の構成は、第４の実施形態に示した積層型フィルタ１０Ｄの第１フィルタ回路と同じであるので、回路構成の説明は省略する。
【０１７５】
また、図１３に示すように、第２フィルタ回路の平衡側インダクタＬ２ｂの所定点は、ＤＣフィード端子Ｐｄｃに接続されている。Ｄｃフィード端子Ｐｄｃと平衡側インダクタＬ２ｂとの接続ラインは、Ｃｇｂを介してグランドへ接続されている。なお、その他の構成は、第４の実施形態に示した積層型フィルタ１０Ｄの第２フィルタ回路と同じであるので、回路構成の説明は省略する。
【０１７６】
図１４は、本実施形態に係る積層型フィルタ１０Ｅの外観斜視図である。図１５は本実施形態に係る積層型フィルタ１０Ｅの分解斜視図である。
【０１７７】
積層型フィルタ１０Ｅは、１１層の誘電体層１０１Ｔ−１１１Ｔを順次積層した積層体１００Ｅによって実現される。
【０１７８】
積層体１００Ｅは、図１４に示すように、外形形状が略直方体形状からなる。積層体１００Ｅの第１側面には、第１フィルタ回路の不平衡端子用の外部電極（以下、不平衡端子Ｐｕｎｂａと称する。）、ＤＣフィード端子の電極（以下、ＤＣフィード用端子Ｐｄｃと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０１７９】
前記第１側面に対向する積層体１００Ｅの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。上述の各実施形態と同様に、以下の各誘電体層の説明では、内層電極との接続関係を除き、これら外部端子の形成位置および形状の説明は省略する。
【０１８０】
積層体１００Ｅの最上層となる誘電体層１０１Ｔには、上記外部端子の電極パターンのみが形成されている。なお、図示しないが、誘電体層１０１Ｔの天面、すなわち積層体１００Ｅの天面に、実装方向を定義するためのマーキング電極が形成されている。
【０１８１】
誘電体層１０２Ｔには、コイル電極２０１Ｅａ，２０１Ｅｂが形成されている。コイル電極２０１Ｅａは一方端が第２側面の第１フィルタ回路の第１平衡端子Ｐｂａ１に接続されている。コイル電極２０１Ｅａは平面視して、当該一方端を始点として、巻回形に形成されている。コイル電極２０１Ｅａの他方端は導電性のビア電極ＶＨ２３ａを介して、誘電体層１０３Ｔのコイル電極３０１Ｅａの一方端に接続されている。
【０１８２】
コイル電極２０１Ｅｂは一方端が第２側面の第２フィルタ回路の第１平衡端子Ｐｂｂ１に接続されている。コイル電極２０１Ｅｂは平面視して、当該一方端を始点として、巻回形に形成されている。コイル電極２０１Ｅｂの他方端は導電性のビア電極ＶＨ２３ｂを介して、誘電体層１０３Ｔのコイル電極３０１Ｅｂの一方端に接続されている。
【０１８３】
誘電体層１０３Ｔには、コイル電極３０１Ｅａ，３０１Ｅｂ，３０１Ｅｃ，３０１Ｅｄが形成されている。
【０１８４】
コイル電極３０１Ｅａは一方端がビア電極ＶＨ２３ａを介してコイル電極２０１Ｅａの他方端に接続されている。コイル電極３０１Ｅａは平面視して、当該一方端を始点として、コイル電極２０１Ｅａと同じ方向へ巻回する巻回形に形成されている。コイル電極３０１Ｅａの他方端は導電性のビア電極ＶＨ３４ａを介して、誘電体層１０４Ｔのコイル電極４０１Ｅａの一方端に接続されている。コイル電極３０１Ｅａと、コイル電極２０１Ｅａおよびビア電極ＶＨ２３ａとにより、第１フィルタ回路の平衡側インダクタＬ３ａが構成される。
【０１８５】
コイル電極３０１Ｅｂは一方端がビア電極ＶＨ２３ｂを介してコイル電極２０１Ｅｂの他方端に接続されている。コイル電極３０１Ｅｂは、平面視して、当該一方端を始点として、コイル電極２０１Ｅｂと同じ方向へ巻回する巻回形に形成されている。コイル電極３０１Ｅｂの他方端は導電性のビア電極ＶＨ３４ｂを介して、誘電体層１０４Ｔのコイル電極４０１Ｅｂの一方端に接続されている。コイル電極３０１Ｅｂと、コイル電極２０１Ｅｂおよびビア電極ＶＨ２３ｂとにより、第２フィルタ回路の平衡側インダクタＬ３ｂが構成される。
【０１８６】
コイル電極３０１Ｅｃは、一方端が第１側面の第１フィルタのグランド端子ＧＮＤに接続されている。コイル電極３０１Ｅｃは、平面視して、当該一方端を始点として巻回形に形成されている。コイル電極３０１Ｅｃの他方端は導電性のビア電極ＶＨ３５ａを介して、誘電体層１０５Ｔのコイル電極５０１Ｅｃの一方端に接続されている。
【０１８７】
コイル電極３０１Ｅｄは、一方端が第１側面の第２フィルタのグランド端子ＧＮＤに接続されている。コイル電極３０１Ｅｄは、平面視して、当該一方端を始点として巻回形に形成されている。コイル電極３０１Ｅｄの他方端は導電性のビア電極ＶＨ３５ｂを介して、誘電体層１０５Ｔのコイル電極５０１Ｅｄの一方端に接続されている。
【０１８８】
誘電体層１０４Ｔには、コイル電極４０１Ｅａ，４０１Ｅｂが形成されている。コイル電極４０１Ｅａの一方端は、ビア電極ＶＨ３４ａを介して、コイル電極３０１Ｅａの他方端に接続されている。コイル電極４０１Ｅａは、その少なくとも一部がコイル電極３０１Ｅｃと平面視して重なり合うように、すなわち、コイル電極３０１Ｅｃと電磁界結合するように、巻回形状に形成されている。コイル電極４０１Ｅａの他方端は、ビア電極ＶＨ４５ａを介して、誘電体層１０５Ｔのコイル電極５０１Ｅａの一方端に接続されている。このコイル電極４０１Ｅａにより、第１フィルタ回路の平衡側インダクタＬ２ａが構成される。
【０１８９】
コイル電極４０１Ｅａの巻回方向の所定位置は、ビア電極ＶＨ４７ａを介して誘電体層１０７Ｔの平板電極７０１Ｅａへ接続されている。平板電極７０１Ｅａは、後述するように、キャパシタＣｇａを構成する対向電極の一つであり、当該キャパシタＣｇａを構成するもう一つの対向電極となる平板電極８０１Ｅｃは第１側面のグランド接続端子ＧＮＤに接続されている。これにより、コイル電極４０１Ｅａの所定位置は、キャパシタＣｇａを介してグランドへ接続される。したがって、コイル電極４０１Ｅａへのビア電極ＶＨ４７ａの接続位置を、上述の実施形態と同様に適宜設定することで、平衡側インダクタＬ２ａに対する最適な位相基準点を設定でき、安定したバランス特性を実現できる。
【０１９０】
コイル電極４０１Ｅｂの一方端は、ビア電極ＶＨ３４ｂを介して、コイル電極３０１Ｅｂの他方端に接続されている。コイル電極４０１Ｅｂは、その少なくとも一部がコイル電極３０１Ｅｄと平面視して重なり合うように、すなわち、コイル電極３０１Ｅｄと電磁界結合するように、巻回形状に形成されている。コイル電極４０１Ｅｂの他方端は、ビア電極ＶＨ４５ｂを介して、誘電体層１０５Ｔのコイル電極５０１Ｅｂの一方端に接続されている。このコイル電極４０１Ｅｂにより、第２フィルタ回路の平衡側インダクタＬ２ｂが構成される。
【０１９１】
コイル電極４０１Ｅｂの巻回方向の所定位置は、ビア電極ＶＨ４７ｂを介して誘電体層１０７Ｔの平板電極７０１Ｅａへ接続されている。平板電極７０１Ｅｂは、後述するように、キャパシタＣｇｂを構成する対向電極の一つであり、当該キャパシタＣｇｂを構成するもう一つの対向電極となる平板電極８０１Ｅｃは第１側面のグランド接続端子ＧＮＤに接続されている。これにより、コイル電極４０１Ｅｂの所定位置は、キャパシタＣｇｂを介してグランドへ接続される。したがって、コイル電極４０１Ｅｂへのビア電極ＶＨ４７ｂの接続位置を、上述の実施形態と同様に適宜設定することで、平衡側インダクタＬ２ｂに対する最適な位相基準点を設定でき、安定したバランス特性を実現できる。
【０１９２】
誘電体層１０５Ｔには、コイル電極５０１Ｅａ，５０１Ｅｂ，５０１Ｅｃ，５０１Ｅｄが形成されている。
【０１９３】
コイル電極５０１Ｅａの一方端は、ビア電極ＶＨ４５ａを介してコイル電極４０１Ｅａに接続されている。コイル電極５０１Ｅａは、平面視して、当該一方端を始点する巻回形に形成されている。この際、コイル電極５０１Ｅａは、積層体１００Ｅを平面視して第１フィルタ回路の第１、第２平衡端子Ｐｂａ１，Ｐｂａ２側の領域、すなわち、上述のコイル電極２０１Ｅａ，３０１Ｅａと重なり合うような領域に形成されている。コイル電極５０１Ｅａの他方端は、ビア電極ＶＨ５６ａを介して、誘電体層１０６Ｔのコイル電極６０１Ｅａの一方端に接続されている。
【０１９４】
コイル電極５０１Ｅｂの一方端は、ビア電極ＶＨ４５ｂを介してコイル電極４０１Ｅｂに接続されている。コイル電極５０１Ｅｂは、平面視して、当該一方端を始点する巻回形に形成されている。この際、コイル電極５０１Ｅｂは、積層体１００Ｅを平面視して第２フィルタ回路の第１、第２平衡端子Ｐｂｂ１，Ｐｂｂ２側の領域、すなわち、上述のコイル電極２０１Ｅｂ，３０１Ｅｂと重なり合うような領域に形成されている。コイル電極５０１Ｅｂの他方端は、ビア電極ＶＨ５６ｂを介して、誘電体層１０６Ｔのコイル電極６０１Ｅｂの一方端に接続されている。
【０１９５】
コイル電極５０１Ｅｃの一方端は、ビア電極ＶＨ３５ａを介してコイル電極３０１Ｅｃに接続されている。コイル電極５０１Ｅｃは、平面視して、当該一方端を始点としてコイル電極３０１Ｅｃと同じ方向に巻回する巻回形に形成されている。この際、コイル電極５０１Ｅｃも、コイル電極４０１Ｅａと電磁界結合するように、積層体を平面視してコイル電極４０１Ｅａと少なくとも一部が重なる位置に形成されている。コイル電極５０１Ｅｃの他方端は、第１フィルタ回路の不平衡端子Ｐｕｎｂａに接続されている。コイル電極５０１Ｅｃと、コイル電極３０１Ｅｃおよびビア電極ＶＨ３５ａにより、第１フィルタ回路の不平衡側インダクタＬ１ａが構成される。
【０１９６】
コイル電極５０１Ｅｄの一方端は、ビア電極ＶＨ３５ｂを介してコイル電極３０１Ｅｄに接続されている。コイル電極５０１Ｅｄは、平面視して、当該一方端を始点としてコイル電極３０１Ｅｄと同じ方向に巻回する巻回形に形成されている。この際、コイル電極５０１Ｅｄも、コイル電極４０１Ｅｂと電磁界結合するように、積層体を平面視してコイル電極４０１Ｅｂと少なくとも一部が重なる位置に形成されている。コイル電極５０１Ｅｄの他方端は、第２フィルタ回路の不平衡端子Ｐｕｎｂｂに接続されている。コイル電極５０１Ｅｄと、コイル電極３０１Ｅｄおよびビア電極ＶＨ３５ｂとにより、第２フィルタ回路の不平衡側インダクタＬ１ｂが構成される。
【０１９７】
誘電体層１０６Ｔには、コイル電極６０１Ｅａ，６０１Ｅｂが形成されている。コイル電極６０１Ｅａの一方端は、ビア電極ＶＨ５６ａを介してコイル電極５０１Ｅａの他方端に接続されている。コイル電極６０１Ｅａは、平面視して、当該一方端を始点としてコイル電極５０１Ｅａと同じ方向に巻回する巻回形状に形成されている。コイル電極６０１Ｅａと、コイル電極５０１Ｅａおよびビア電極ＶＨ５６ａとにより、第１フィルタ回路の平衡側インダクタＬ４ａが構成される。
【０１９８】
コイル電極６０１Ｅｂの一方端は、ビア電極ＶＨ５６ｂを介してコイル電極５０１Ｅｂの他方端に接続されている。コイル電極６０１Ｅｂは、平面視して、当該一方端を始点としてコイル電極５０１Ｅｂと同じ方向に巻回する巻回形状に形成されている。コイル電極６０１Ｅｂと、コイル電極５０１Ｅｂおよびビア電極ＶＨ５６ｂとにより、第２フィルタ回路の平衡側インダクタＬ４ｂが構成される。
【０１９９】
誘電体層１０７Ｔには、平面視して略四角形の平板電極７０１Ｅａが形成されている。平板電極７０１Ｅａは、積層体１００Ｅを平面視して、誘電体層１０４Ｔのコイル電極４０１Ｅａ，４０１Ｅｂの形成領域と重なるような領域に形成されている。平板電極７０１Ｅａは、第１側面のＤＣフィード用端子Ｐｄｃに接続されている。
【０２００】
誘電体層１０８Ｔには、平面視してそれぞれが略四角形の平板電極８０１Ｅａ，８０１Ｅｂ，８０１Ｅｃが形成されている。平板電極８０１Ｅｃは、平板電極７０１Ｅａと積層方向に沿って対向するように形成されている。平板電極８０１Ｅｃは、グランド接続用電極９９９Ｅを第１側面のグランド端子ＧＮＤに接続されている。平板電極８０１Ｅｃ，７０１Ｅａおよび誘電体層１０７Ｔにより、ＤＣフィード用のキャパシタＣｇａ，Ｃｇｂが構成される。
【０２０１】
このような誘電体層１０７Ｔ，１０８Ｔの構成および誘電体層１０４Ｔのコイル電極４０１Ｅａ，４０１Ｅｂへのビア電極ＶＨ４７ａ，ＶＨ４７ｂの接続構成により、平衡側インダクタＬ２ａ，Ｌ２ｂへのＤＣフィード回路が実現される。
【０２０２】
平板電極８０１Ｅａは、積層体１００Ｅを平面視した第１フィルタ回路の第１、第２平衡端子Ｐｂａ１，Ｐｂａ２側の領域に形成されている。平板電極８０１Ｅａは、グランド端子ＧＮＤを含む外部端子に接続しない浮き電極である。
【０２０３】
平板電極８０１Ｅｂは、積層体１００Ｅを平面視した第２フィルタ回路の第１、第２平衡端子Ｐｂｂ１，Ｐｂｂ２側の領域に形成されている。平板電極８０１Ｅｂは、グランド端子ＧＮＤを含む外部端子に接続しない浮き電極である。
【０２０４】
誘電体層１０９Ｔには、それぞれが所定の面積からなり、平面視して略四角形の平板電極９０１Ｅａ，９０１Ｅｂ，９０１Ｅｃ，９０１Ｅｄ，９０１Ｅｅ，９０１Ｅｆが形成されている。
【０２０５】
平板電極９０１Ｅｅは、積層体１００Ｅを平面視して、平板電極８０１Ｅｃと対向するように形成されている。これら平板電極９０１Ｅｅ，８０１Ｅｃおよび誘電体層１０８Ｔにより、第１フィルタ回路の不平衡側キャパシタＣ１ａが構成される。平板電極９０１Ｅｅは、第１側面の不平衡端子Ｐｕｎｂａに接続されている。
【０２０６】
平板電極９０１Ｅｆは、積層体１００Ｅを平面視して、平板電極８０１Ｅｃと対向するように形成されている。これら平板電極９０１Ｅｆ，８０１Ｅｃおよび誘電体層１０８Ｔにより、第２フィルタ回路の不平衡側キャパシタＣ１ｂが構成される。平板電極９０１Ｅｆは、第１側面の不平衡端子Ｐｕｎｂｂに接続されている。
【０２０７】
平板電極９０１Ｅａ，９０１Ｅｂは、それぞれ平板電極８０１Ｅａと積層方向に沿って対向するように形成されている。平板電極９０１Ｅｃ，Ｅｄは、それぞれ平板電極８０１Ｅｂと積層方向に沿って対向するように形成されている。
【０２０８】
誘電体層１１０Ｔには、平面視してそれぞれが略四角形の平板電極１００１Ｅａ，１００１Ｅｂが形成されている。平板電極１００１Ｅａは、積層体１００Ｅを平面視して、平板電極８０１Ｅａ，９０１Ｅａと対向するように形成されている。これら平板電極１００１Ｅａ，９０１Ｅａ，８０１Ｅａと誘電体層１０８Ｔ，１０９Ｔとにより、第１フィルタ回路の第１平衡側キャパシタＣ２ａが構成される。また、平板電極１００１Ｅａは、積層体１００Ｅを平面視して、平板電極８０１Ｅａ，９０１Ｅｂと対向するように形成されている。これら平板電極１００１Ｅａ，９０１Ｅｂ，８０１Ｅａと誘電体層１０８Ｔ，１０９Ｔとにより、第１フィルタ回路の第２平衡側キャパシタＣ３ａが構成される。
【０２０９】
平板電極１００１Ｅｂは、積層体１００Ｅを平面視して、平板電極９０１Ｅｃ，９０１Ｅｄと対向するように形成されている。
【０２１０】
誘電体層１１１Ｔには、平面視してそれぞれが略四角形の平板電極１１０１Ｅａ，１１０１Ｅｂが形成されている。平板電極１１０１Ｅａは、積層体１００Ｅを平面視して、平板電極８０１Ｅｂ，９０１Ｅｃ，１００１Ｅｂと対向するように形成されている。これら平板電極１１０１Ｅａ，１００１Ｅｂ，９０１Ｅｃ，８０１Ｅｂと誘電体層１０８Ｔ，１０９Ｔ，１１０Ｔとにより、第２フィルタ回路の第２平衡側キャパシタＣ３ｂが構成される。
【０２１１】
平板電極１１０１Ｅｂは、積層体１００Ｅを平面視して、平板電極８０１Ｅｂ，９０１Ｅｄ，１００１Ｅｂと対向するように形成されている。これら平板電極１１０１Ｅｂ，１００１Ｅｂ，９０１Ｅｄ，８０１Ｅｂと誘電体層１０８Ｔ，１０９Ｔ，１１０Ｔとにより、第２フィルタ回路の第１平衡側キャパシタＣ２ｂが構成される。
【０２１２】
このような構成であっても、上述の各実施形態と同様に、フィルタ回路毎に最適な位相基準点を設定でき、安定したバランス特性の積層型フィルタを実現することができる。
【０２１３】
また、本実施形態の構成を用い、第１フィルタ回路の平衡側インダクタＬ３ａ，Ｌ４ａおよび第２フィルタ回路の平衡側インダクタＬ３ｂ，Ｌ４ｂを所望のインダクタンスに設定することで、平衡型信号の出力インピーダンスを所望値に設定することができる。また、第１フィルタ回路の平衡側インダクタＬ３ａ，Ｌ２ａ，Ｌ４ａおよび第２フィルタ回路の平衡側インダクタＬ３ｂ，Ｌ２ｂ，Ｌ４ｂの巻き方向を同じにすることで、フィルタ回路毎の損失を低下させ、挿入損失の小さいフィルタを構成することができる。
【０２１４】
次に、第６の実施形態に係る積層型フィルタについて、図を参照して説明する。図１６は、本実施形態に係る積層型フィルタ１０Ｆの回路図である。図１６に示すように、回路構成としては、本実施形態の積層型フィルタ１０Ｆは、第４の実施形態に示した積層型フィルタ１０Ｄに対して、第１フィルタ回路の不平衡端子Ｐｕｎｂａと不平衡側インダクタＬ１ａおよび不平衡側キャパシタＣ１ａの共振回路との間に、キャパシタＣ０ａを直列接続し、第２フィルタ回路の不平衡端子Ｐｕｎｂｂと不平衡側インダクタＬ１ｂおよび不平衡側キャパシタＣ１ｂの共振回路との間に、キャパシタＣ０ｂを直列接続したものである。したがって、他の回路構成の説明は省略する。
【０２１５】
図１７は本実施形態に係る積層型フィルタ１０Ｆの外観斜視図である。図１８は本実施形態に係る積層型フィルタ１０Ｆの分解斜視図である。
【０２１６】
積層型フィルタ１０Ｆは、１５層の誘電体層１０１Ｔ−１１５Ｔを順次積層した積層体１００Ｆによって実現される。
【０２１７】
積層体１００Ｆは、図１７に示すように、外形形状が略直方体形状からなる。積層体１００Ｆの第１側面には、第１フィルタ回路の不平衡端子用の外部電極（以下、不平衡端子Ｐｕｎｂａと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０２１８】
前記第１側面に対向する積層体１００Ｆの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。
【０２１９】
第１側面および第２側面に直交し、第１フィルタ回路側となる第３側面には接続用電極Ｓｅａ１，Ｓｅａ２が配列形成されている。第１側面および第２側面に直交し、第２フィルタ回路側となる第４側面には接続用電極Ｓｅｂ１，Ｓｅｂ２が配列形成されている。上述の各実施形態と同様に、以下の各誘電体層の説明では、内層電極との接続関係を除き、これら外部端子の形成位置および形状の説明は省略する。
【０２２０】
積層体１００Ｆの最上層となる誘電体層１０１Ｔには、上記外部端子の電極パターンのみが形成されている。なお、図示しないが、誘電体層１０１Ｔの天面、すなわち積層体１００Ｆの天面に、実装方向を定義するためのマーキング電極が形成されている。
【０２２１】
誘電体層１０２Ｔには、平面視して略四角形の平板電極２０１Ｆａが形成されている。平板電極２０１Ｆａは、積層体１００Ｆを平面視して、第１フィルタ回路側の第１、第２平衡端子Ｐｂａ１，Ｐｂａ２側の領域に形成されている。平板電極２０１Ｆａは、第２側面の第１フィルタ回路の第１平衡端子Ｐｂａ１に接続されている。
【０２２２】
誘電体層１０３Ｔには、平面視してそれぞれが略四角形の平板電極３０１Ｆａ，３０１Ｆｂが形成されている。平板電極３０１Ｆａは、平板電極２０１Ｆａと積層方向に沿って対向するように形成されている。平板電極３０１Ｆａは、第３側面の接続用電極Ｓｅａ１に接続されている。
【０２２３】
平板電極３０１Ｆｂは、積層体１００Ｆを平面視して、第２フィルタ回路側の第１、第２平衡端子Ｐｂｂ１，Ｐｂｂ２側の領域に形成されている。平板電極３０１Ｆｂは、第４側面の接続用電極Ｓｅｂ１に接続されている。
【０２２４】
誘電体層１０４Ｔには、平面視してそれぞれが略四角形の平板電極４０１Ｆａ，４０１Ｆｂが形成されている。平板電極４０１Ｆａは、平板電極３０１Ｆａと積層方向に沿って対向するように形成されている。平板電極４０１Ｆａは、第２側面の第１フィルタ回路の第１平衡端子Ｐｂａ１に接続されている。
【０２２５】
平板電極４０１Ｆａ，３０１Ｆａ，２０１Ｆａと誘電体層１０２Ｔ，１０３Ｔとにより、第１フィルタ回路の第１平衡側キャパシタＣ２ａが構成される。
【０２２６】
平板電極４０１Ｆｂは、平板電極３０１Ｆｂと積層方向に沿って対向するように形成されている。平板電極４０１Ｆｂは、第２側面の第２フィルタ回路の第１平衡端子Ｐｂｂ１に接続されている。平板電極４０１Ｆｂ，３０１Ｆｂと誘電体１０３Ｔとにより、第２フィルタ回路の第１平衡側キャパシタＣ２ｂが構成される。
【０２２７】
誘電体層１０５Ｔには、第１フィルタ回路側の領域内に、コイル電極５０１Ｆａが形成されている。コイル電極５０１Ｆａの一方端は、第２側面の第１フィルタ回路の第１平衡端子Ｐｂａ１に接続されている。コイル電極５０１Ｆａは、当該一方端を始点として平面視して所定の方向に巻回する巻回形に形成されている。コイル電極５０１Ｆａの他方端は、ビア電極ＶＨ５６ａを介して、誘電体層１０６Ｔのコイル電極６０１Ｆａの一方端に接続されている。
【０２２８】
誘電体層１０６Ｔには、第１フィルタ回路側の領域にコイル電極６０１Ｆａが形成され、第２フィルタ回路側の領域にコイル電極６０１Ｆｂが形成されている。
【０２２９】
コイル電極６０１Ｆａの一方端は、ビア電極ＶＨ５６ａを介してコイル電極５０１Ｆａに接続されている。コイル電極６０１Ｆａは、当該一方端を始点として、コイル電極５０１Ｆａと同じ方向に巻回する巻回形に形成されている。コイル電極６０１Ｆａの他方端は、ビア電極ＶＨ６７ａを介して、誘電体層１０７Ｔのコイル電極７０１Ｆａの一方端に接続されている。
【０２３０】
コイル電極６０１Ｆｂの一方端は、第２側面の第２フィルタ回路の第１平衡端子Ｐｂｂ１に接続されている。コイル電極６０１Ｆｂは、コイル電極６０１Ｆａと逆方向で巻回する巻回形に形成されている。コイル電極６０１Ｆｂの他方端は、ビア電極ＶＨ６７ｂを介して、誘電体層１０７Ｔのコイル電極７０１Ｆｂの一方端に接続されている。
【０２３１】
誘電体層１０７Ｔには、第１フィルタ回路側の領域にコイル電極７０１Ｆａ，７０１Ｆｃが形成され、第２フィルタ回路側の領域にコイル電極７０１Ｆｂ，７０１Ｆｄが形成されている。
【０２３２】
コイル電極７０１Ｆａの一方端は、ビア電極ＶＨ６７ａを介してコイル電極６０１Ｆａの他方端に接続されている。コイル電極７０１Ｆａは、当該一方端を始点として、コイル電極６０１Ｆａと同じ方向に巻回する巻回形に形成されている。コイル電極７０１Ｆａ，６０１Ｆａ，５０１Ｆａとビア電極ＶＨ５６ａ，ＶＨ６７ａにより、第１フィルタ回路の平衡側インダクタＬ３ａが構成される。コイル電極７０１Ｆａの他方端は、ビア電極ＶＨ７８ａを介して、誘電体層１０８Ｔのコイル電極８０１Ｆａの一方端に接続されている。
【０２３３】
コイル電極７０１Ｆｂの一方端は、ビア電極ＶＨ６７ｂを介してコイル電極６０１Ｆｂの他方端に接続されている。コイル電極７０１Ｆｂは、当該一方端を始点として、コイル電極６０１Ｆｂと同じ方向に巻回する巻回形に形成されている。コイル電極７０１Ｆｂ，６０１Ｆｂとビア電極ＶＨ６７ｂとにより、第２フィルタ回路の平衡側インダクタＬ３ｂが構成される。コイル電極７０１Ｆｂの他方端は、ビア電極ＶＨ７８ｂを介して、誘電体層１０８Ｔのコイル電極８０１Ｆｂの一方端に接続されている。
【０２３４】
コイル電極７０１Ｆｃは、平面視して、コイル電極７０１Ｆａよりも第１側面側、すなわち第１フィルタ回路の不平衡端子Ｐｕｎｂａ側に形成されている。コイル電極７０１Ｆｃは、一方端が第３側面の接続用電極Ｓｅａ２に接続されている。コイル電極７０１Ｆｃは、当該一方端を始点として巻回形に形成されている。コイル電極７０１Ｆｃの他方端は、ビア電極ＶＨ７９ａを介して、誘電体層１０９Ｔのコイル電極９０１Ｆｃの一方端に接続されている。
【０２３５】
コイル電極７０１Ｆｄは、平面視して、コイル電極７０１Ｆｂよりも第１側面側、すなわち第２フィルタ回路の不平衡端子Ｐｕｎｂｂ側に形成されている。コイル電極７０１Ｆｄは、一方端が第４側面の接続用電極Ｓｅｂ２に接続されている。コイル電極７０１Ｆｄは、当該一方端を始点としてコイル電極７０１Ｆｃと逆方向の巻回形に形成されている。コイル電極７０１Ｆｄの他方端は、ビア電極ＶＨ７９ｂを介して、誘電体層１０９Ｔのコイル電極９０１Ｆｄの一方端に接続されている。
【０２３６】
誘電体層１０８Ｔには、第１フィルタ回路側の領域にコイル電極８０１Ｆａが形成され、第２フィルタ回路側の領域にコイル電極８０１Ｆｂが形成されている。
【０２３７】
コイル電極８０１Ｆａの一方端は、ビア電極ＶＨ７８ａを介して、コイル電極７０１Ｆａの他方端に接続されている。コイル電極８０１Ｆａは、当該一方端を始点とする巻回形に形成されている。この際、コイル電極８０１Ｆａは、平面視してコイル電極７０１Ｆｃと少なくとも部分的に重なり合い、コイル電極７０１Ｆｃと電磁界結合する形状で形成されている。コイル電極８０１Ｆａの他方端は、ビア電極ＶＨ８９ａを介して、誘電体層１０９Ｔのコイル電極９０１Ｆａの一方端に接続されている。コイル電極８０１Ｆａが第１フィルタ回路の平衡側インダクタＬ２ａとなる。
【０２３８】
コイル電極８０１Ｆａの巻回方向の所定位置は、グランド接続用電極９９９Ｆａを介して、第１側面のグランド接続端子ＧＮＤへ接続されている。この際、上述の各実施形態と同様に、グランド用接続電極９９９Ｆａのコイル電極８０１Ｆａの接続位置は、所望とするバランス特性が得られるように決定されている。
【０２３９】
コイル電極８０１Ｆｂの一方端は、ビア電極ＶＨ７８ｂを介して、コイル電極７０１Ｆｂの他方端に接続されている。コイル電極８０１Ｆｂは、当該一方端を始点とする巻回形に形成されている。この際、コイル電極８０１Ｆｂは、平面視してコイル電極７０１Ｆｄと少なくとも部分的に重なり合い、コイル電極７０１Ｆｄと電磁界結合する形状で形成されている。コイル電極８０１Ｆｂの他方端は、ビア電極ＶＨ８９ｂを介して、誘電体層１０９Ｔのコイル電極９０１Ｆｂの一方端に接続されている。コイル電極８０１Ｆｂが第２フィルタ回路の平衡側インダクタＬ２ｂとなる。
【０２４０】
コイル電極８０１Ｆｂの巻回方向の所定位置は、グランド接続用電極９９９Ｆｂを介して、第１側面のグランド接続端子ＧＮＤへ接続されている。この際、上述の各実施形態と同様に、グランド用接続電極９９９Ｆｂのコイル電極８０１Ｆｂの接続位置は、所望とするバランス特性が得られるように決定されている。
【０２４１】
誘電体層１０９Ｔには、第１フィルタ回路側の領域にコイル電極９０１Ｆａ，９０１Ｆｃが形成され、第２フィルタ回路側の領域にコイル電極９０１Ｆｂ，９０１Ｆｄが形成されている。
【０２４２】
コイル電極９０１Ｆｃの一方端は、ビア電極ＶＨ７９ａを介してコイル電極７０１Ｆｃの他方端に接続されている。コイル電極９０１Ｆｃは、当該一方端を始点としてコイル電極７０１Ｆｃと同じ方向に巻回する巻回形に形成されている。この際、コイル電極９０１Ｆｃとコイル電極７０１Ｆｃとは、それぞれの形成領域が平面視して略重なるように形成されている。コイル電極９０１Ｆｃ，７０１Ｆｃおよびビア電極ＶＨ７９ａにより、第１フィルタ回路の不平衡側インダクタＬ１ａが構成される。コイル電極９０１Ｆｃの他方端は、第１側面のグランド端子ＧＮＤに接続されている。コイル電極９０１Ｆｄの一方端は、ビア電極ＶＨ７９ｂを介してコイル電極７０１Ｆｄの他方端に接続されている。コイル電極９０１Ｆｄは、一方端を始点としてコイル電極７０１Ｆｄと同じ方向に巻回する巻回形に形成されている。この際、コイル電極９０１Ｆｄとコイル電極７０１Ｆｄとは、それぞれの形成領域が平面視して略重なるように形成されている。コイル電極９０１Ｆｄ，７０１Ｆｄおよびビア電極ＶＨ７９ｄにより、第２フィルタ回路の不平衡側インダクタＬ１ｂが構成される。コイル電極９０１Ｆｄの他方端は、第１側面のグランド端子ＧＮＤに接続されている。
【０２４３】
コイル電極９０１Ｆａの一方端は、ビア電極ＶＨ８９ａを介して、コイル電極８０１Ｆａの他方端に接続されている。コイル電極９０１Ｆａは、コイル電極９０１Ｆｃに対して第２側面側の領域に形成されており、当該一方端を始点としてコイル電極７０１Ｆａと同じ方向に巻回する巻回形に形成されている。コイル電極９０１Ｆａの他方端は、ビア電極ＶＨ９１０ａを介して、誘電体層１１０Ｔのコイル電極１００１Ｆａの一方端に接続されている。
【０２４４】
コイル電極９０１Ｆｂの一方端は、ビア電極ＶＨ８９ｂを介して、コイル電極８０１Ｆｂの他方端に接続されている。コイル電極９０１Ｆｂは、コイル電極９０１Ｆｄに対して第２側面側の領域に形成されており、当該一方端を始点としてコイル電極７０１Ｆｂと同じ方向に巻回する巻回形に形成されている。コイル電極９０１Ｆｂの他方端は、ビア電極ＶＨ９１０ｂを介して、誘電体層１１０Ｔのコイル電極１００１Ｆｂの一方端に接続されている。
【０２４５】
誘電体層１１０Ｔには、第１フィルタ回路側の領域にコイル電極１００１Ｆａが形成され、第２フィルタ回路側の領域にコイル電極１００１Ｆｂが形成されている。コイル電極１００１Ｆａの一方端は、ビア電極ＶＨ９１０ａを介してコイル電極９０１Ｆａの他方端に接続されている。コイル電極１００１Ｆａは、当該一方端を始点としてコイル電極９０１Ｆａと同じ方向に巻回する巻回形に形成されている。コイル電極１００１Ｆａの他方端は、ビア電極ＶＨ１０１１ａを介して、誘電体層１１１Ｔのコイル電極１１０１Ｆａの一方端に接続されている。
【０２４６】
コイル電極１００１Ｆｂの一方端は、ビア電極ＶＨ９１０ｂを介してコイル電極９０１Ｆｂの他方端に接続されている。コイル電極１００１Ｆｂは、当該一方端を始点としてコイル電極９０１Ｆｂと同じ方向に巻回する巻回形に形成されている。コイル電極１００１Ｆｂ，９０１Ｆｂとビア電極ＶＨ９１０ｂとにより、第２フィルタ回路の平衡側インダクタＬ４ｂが構成される。コイル電極１００１Ｆｂの他方端は、第２側面の第２フィルタ回路の第２平衡端子Ｐｂｂ２に接続されている。
【０２４７】
誘電体層１１１Ｔには、第１フィルタ回路側の領域にコイル電極１１０１Ｆａが形成されている。コイル電極１１０１Ｆａの一方端は、ビア電極ＶＨ１０１１ａを介してコイル電極１００１Ｆａの他方端に接続されている。コイル電極１１０１Ｆａは、当該一方端を始点としてコイル電極１００１Ｆａと同じ方向に巻回する巻回形に形成されている。コイル電極１１０１Ｆａ，１００１Ｆａ，９０１Ｆａとビア電極ＶＨ９１０ａ，ＶＨ１０１１ａとにより、第１フィルタ回路の平衡側インダクタＬ４ａが構成される。コイル電極１１０１Ｆａの他方端は、第２側面の第１フィルタ回路の第２平衡端子Ｐｂａ２に接続されている。
【０２４８】
誘電体層１１２Ｔには、それぞれが所定の面積からなり、平面視して略四角形の平板電極１２０１Ｆａ，１２０１Ｆｂ，１２０１Ｆｃ，１２０１Ｆｄが形成されている。
【０２４９】
平板電極１２０１Ｆｃは、積層体１００Ｆを平面視した第１フィルタ回路の不平衡端子Ｐｕｎｂａ側の領域に形成されている。すなわち、平板電極１２０１Ｆｃは、積層体１００Ｆを平面視して、コイル電極７０１Ｆｃ，９０１Ｆｃの形成領域と重なるように形成されている。平板電極１２０１Ｆｃは、第１側面のグランド端子ＧＮＤに接続されている。
【０２５０】
平板電極１２０１Ｆｄは、積層体１００Ｆを平面視した第２フィルタ回路の不平衡端子Ｐｕｎｂｂ側の領域に形成されている。すなわち、平板電極１２０１Ｆｄは、積層体１００Ｆを平面視して、コイル電極７０１Ｆｄ，９０１Ｆｄの形成領域と重なるように形成されている。平板電極１２０１Ｆｄは、第１側面のグランド端子ＧＮＤに接続されている。
【０２５１】
平板電極１２０１Ｆａは、積層体１００Ｆを平面視した第１フィルタ回路の第１、第２平衡端子Ｐｂａ１，Ｐｂａ２側の領域に形成されている。すなわち、平板電極１２０１Ｆａは、積層体１００Ｆを平面視して、コイル電極９０１Ｆａ，１００１Ｆａ，１１０１Ｆａの形成領域と重なるように形成されている。平板電極１２０１Ｆａは、第２側面の第１フィルタ回路の第２平衡端子Ｐｂａ２に接続されている。
【０２５２】
平板電極１２０１Ｆｂは、積層体１００Ｆを平面視した第２フィルタ回路の第１、第２平衡端子Ｐｂｂ１，Ｐｂｂ２側の領域に形成されている。すなわち、平板電極１２０１Ｆｂは、積層体１００Ｆを平面視して、コイル電極９０１Ｆｂ，１００１Ｆｂの形成領域と重なるように形成されている。平板電極１２０１Ｆｂは、第２側面の第２フィルタ回路の第２平衡端子Ｐｂｂ２に接続されている。
【０２５３】
誘電体層１１３Ｔには、それぞれが所定の面積からなり、平面視して略四角形の平板電極１３０１Ｆａ，１３０１Ｆｂ，１３０１Ｆｃ，１３０１Ｆｄが形成されている。
【０２５４】
平板電極１３０１Ｆｃは、平板電極１２０１Ｆｃと積層方向に沿って対向するように、形成されている。平板電極１３０１Ｆｃ，１２０１Ｆｃと誘電体層１１２Ｔとにより、第１フィルタ回路の不平衡側キャパシタＣ１ａが構成される。平板電極１３０１Ｆｃは、第３側面の接続用電極Ｓｅａ２に接続されている。
【０２５５】
平板電極１３０１Ｆｄは、平板電極１２０１Ｆｄと積層方向に沿って対向するように、形成されている。平板電極１３０１Ｆｄ，１２０１Ｆｄと誘電体層１１２Ｔとにより、第２フィルタ回路の不平衡側キャパシタＣ１ｂが構成される。平板電極１３０１Ｆｄは、第４側面の接続用電極Ｓｅｂ２に接続されている。
【０２５６】
平板電極１３０１Ｆａは、平板電極１２０１Ｆａと積層方向に沿って対向するように、形成されている。平板電極１３０１Ｆａは、第３側面の接続用電極Ｓｅａ１に接続されている。
【０２５７】
平板電極１３０１Ｆｂは、平板電極１２０１Ｆｂと積層方向に沿って対向するように、形成されている。平板電極１３０１Ｆｂは、第４側面の接続用電極Ｓｅｂ１に接続されている。平板電極１３０１Ｆｂ，１２０１Ｆｂと誘電体層１１２Ｔとにより、第２フィルタ回路の第２平衡側キャパシタＣ３ｂが構成される。
【０２５８】
誘電体層１１４Ｔには、それぞれが所定の面積からなり、平面視して略四角形の平板電極１４０１Ｆａ，１４０１Ｆｃ，１４０１Ｆｄが形成されている。
【０２５９】
平板電極１４０１Ｆａは、平板電極１３０１Ｆａと積層方向に沿って対向するように、形成されている。平板電極１４０１Ｆａ，１３０１Ｆａ，１２０１Ｆａと誘電体層１１２Ｔ，１１３Ｔとにより、第１フィルタ回路の第２平衡側キャパシタＣ３ａが構成される。平板電極１４０１Ｆａは、第２側面の第１フィルタ回路の第２平衡端子Ｐｂａ２に接続されている。
【０２６０】
平板電極１４０１Ｆｃは、平板電極１３０１Ｆｃと積層方向に沿って対向するように、形成されている。平板電極１４０１Ｆｃは、第１側面の第１フィルタ回路の不平衡端子Ｐｕｎｂａに接続されている。
【０２６１】
平板電極１４０１Ｆｄは、平板電極１３０１Ｆｄと積層方向に沿って対向するように、形成されている。平板電極１４０１Ｆｄ，１３０１Ｆｄと誘電体層１１３Ｔとにより、第２フィルタ回路のキャパシタＣ０ｂが構成される。
【０２６２】
誘電体層１１５Ｔには、所定の面積からなり、平面視して略四角形の平板電極１５０１Ｆｃが形成されている。平板電極１５０１Ｆｃは、平板電極１４０１Ｆｃと積層方向に沿って対向するように形成されている。平板電極１５０１Ｆｃ，１４０１Ｆｃ，１３０１Ｆｃと誘電体層１１３Ｔ，１１４Ｔとにより、第１フィルタ回路のキャパシタＣ０ａが構成される。
【０２６３】
このように、本実施形態の構成であっても、上述の各実施形態と同様に、安定したバランス特性の積層型フィルタを実現することができる。さらに、不平衡端子にキャパシタが直列接続されることで、不平衡端子側からの不要な直流信号の入力を抑制することができる。
【０２６４】
また、本実施形態の構成を用い、第１フィルタ回路の平衡側インダクタＬ３ａ，Ｌ４ａおよび第２フィルタ回路の平衡側インダクタＬ３ｂ，Ｌ４ｂを所望のインダクタンスに設定することで、平衡型信号の出力インピーダンスを所望値に設定することができる。また、第１フィルタ回路の平衡側インダクタＬ３ａ，Ｌ２ａ，Ｌ４ａおよび第２フィルタ回路の平衡側インダクタＬ３ｂ，Ｌ２ｂ，Ｌ４ｂの巻き方向を同じにすることで、フィルタ回路毎の損失を低下させ、挿入損失の小さいフィルタを構成することができる。
【０２６５】
次に、第７の実施形態に係る積層型フィルタについて、図を参照して説明する。図１９は、本実施形態に係る積層型フィルタ１０Ｇの回路図である。図１９に示すように、本実施形態の積層型フィルタ１０Ｇは、第６の実施形態に示した積層型フィルタ１０Ｆに対して、さらに、各平衡端子Ｐｂａ１，Ｐｂａ２，Ｐｂｂ１，Ｐｂｂ２に直列接続するキャパシタＣ４ａ，Ｃ５ａ，Ｃ４ｂ，Ｃ５ｂを備えたものであり、他の回路構成は同じである。したがって、より詳細な回路説明は省略する。また、本実施形態の積層型フィルタ１０Ｇは、第６の実施形態に示した積層型フィルタ１０Ｆと外部端子の構成が同じであるので、この点についても説明を省略する。
【０２６６】
図２０は、本実施形態に係る積層型フィルタ１０Ｇの分解斜視図である。積層体１００Ｇの最上層となる誘電体層１０１Ｔには、上記外部端子の電極パターンのみが形成されている。なお、図示しないが、誘電体層１０１Ｔの天面、すなわち積層体１００Ｇの天面に、実装方向を定義するためのマーキング電極が形成されている。
【０２６７】
誘電体層１０２Ｔには、平面視して略四角形の平板電極２０１Ｇａ，２０１Ｇｂが形成されている。平板電極２０１Ｇａは、積層体１００Ｇを平面視して、第１フィルタ回路側の第１、第２平衡端子Ｐｂａ１，Ｐｂａ２側の領域に形成されている。平板電極２０１Ｇａは、第３側面の接続用電極Ｓｅａ１に接続されている。
【０２６８】
平板電極２０１Ｇｂは、積層体１００Ｇを平面視して、第２フィルタ回路側の第１、第２平衡端子Ｐｂｂ１，Ｐｂｂ２側の領域に形成されている。平板電極２０１Ｇｂは、第４側面の接続用電極Ｓｅｂ１に接続されている。
【０２６９】
誘電体層１０３Ｔには、平面視して略四角形の平板電極３０１Ｇａ，３０１Ｇｂが形成されている。平板電極３０１Ｇａは、外部端子に直接接続しない浮き電極であり、平板電極２０１Ｇａと積層方向に沿って対向するように形成されている。平板電極３０１Ｇａは、ビア電極ＶＨ３５ａを介して、誘電体層１０５Ｔの平板電極５０１Ｇａに接続されている。
【０２７０】
平板電極３０１Ｇｂは、外部端子に直接接続しない浮き電極であり、平板電極２０１Ｇｂと積層方向に沿って対向するに形成されている。平板電極３０１Ｇｂは、ビア電極ＶＨ３５ｂを介して、誘電体層１０５Ｔの平板電極５０１Ｇｂに接続されている。
【０２７１】
誘電体層１０４Ｔには、平面視して略四角形の平板電極４０１Ｇａ，４０１Ｇｂが形成されている。平板電極４０１Ｇａは、平板電極３０１Ｇａと積層方向に沿って対向するように形成されている。平板電極４０１Ｇａは、第２側面の第１フィルタ回路の第１平衡端子Ｐｂａ１に接続されている。平板電極４０１Ｇａ，３０１Ｇａ，２０１Ｇａと誘電体層１０２Ｔ，１０３Ｔとにより、第１フィルタ回路の第１平衡側キャパシタＣ２ａが構成される。
【０２７２】
平板電極４０１Ｇｂは、平板電極３０１Ｇｂと積層方向に沿って対向するように形成されている。平板電極４０１Ｇｂは、第２側面の第２フィルタ回路の第１平衡端子Ｐｂｂ１に接続されている。平板電極４０１Ｇｂ，３０１Ｇｂ，２０１Ｇｂと誘電体層１０２Ｔ，１０３Ｔとにより、第２フィルタ回路の第１平衡側キャパシタＣ２ｂが構成される。
【０２７３】
誘電体層１０５Ｔには、外部端子に直接接続しない浮き電極であり、平面視して略四角形の平板電極５０１Ｇａ，５０１Ｇｂが形成されている。平板電極５０１Ｇａは、平板電極４０１Ｇａ，３０１Ｇａと積層方向に沿って対向するように形成されている。平板電極５０１Ｇａは、ビア電極ＶＨ３５ａを介して平板電極３０１Ｇａに接続されるとともに、ビア電極ＶＨ５６ａを介して誘電体層１０６Ｔのコイル電極６０１Ｇａの一方端に接続されている。平板電極５０１Ｇａ，４０１Ｇａと誘電体層１０４Ｔとにより、第１フィルタ回路のキャパシタＣ４ａが構成される。
【０２７４】
平板電極５０１Ｇｂは、平板電極４０１Ｇｂ，３０１Ｇｂと積層方向に沿って対向するように形成されている。平板電極５０１Ｇｂは、ビア電極ＶＨ３５ｂを介して平板電極３０１Ｇｂに接続されるとともに、ビア電極ＶＨ５６ｂを介して誘電体層１０６Ｔのコイル電極６０１Ｇｂの一方端に接続されている。平板電極５０１Ｇｂ，４０１Ｇｂと誘電体層１０４Ｔとにより、第２フィルタ回路のキャパシタＣ４ｂが構成される。
【０２７５】
誘電体層１０６Ｔには、第１フィルタ回路側の領域にコイル電極６０１Ｇａが形成され、第２フィルタ回路側の領域にコイル電極６０１Ｇｂが形成されている。コイル電極６０１Ｇａは、第１フィルタ回路の第１、第２平衡端子Ｐｂａ１，Ｐｂａ２側に形成されている。コイル電極６０１Ｇａの一方端は、ビア電極ＶＨ５６ａを介して、平板電極５０１Ｇａに接続されている。コイル電極６０１Ｇａは、当該一方端を始点として所定方向に巻回する巻回形に形成されている。コイル電極６０１Ｇａの他方端は、ビア電極ＶＨ６７ａを介して、誘電体層１０７Ｔのコイル電極７０１Ｇａに接続されている。
【０２７６】
コイル電極６０１Ｇｂは、第２フィルタ回路の第１、第２平衡端子Ｐｂｂ１，Ｐｂｂ２側に形成されている。コイル電極６０１Ｇｂの一方端は、ビア電極ＶＨ５６ｂを介して、平板電極５０１Ｇｂに接続されている。コイル電極６０１Ｇｂは、当該一方端を始点としてコイル電極６０１Ｇａと逆に巻回する巻回形に形成されている。コイル電極６０１Ｇｂの他方端は、ビア電極ＶＨ６７ｂを介して、誘電体層１０７Ｔのコイル電極７０１Ｇｂに接続されている。
【０２７７】
誘電体層１０７Ｔには、第１フィルタ回路側の領域にコイル電極７０１Ｇａ，７０１Ｇｃが形成され、第２フィルタ回路側の領域にコイル電極７０１Ｇｂ，７０１Ｇｄが形成されている。
【０２７８】
コイル電極７０１Ｇａの一方端は、ビア電極ＶＨ６７ａを介してコイル電極６０１Ｇａの他方端に接続されている。コイル電極７０１Ｇａは、当該一方端を始点として、コイル電極６０１Ｇａと同じ方向に巻回する巻回形に形成されている。コイル電極７０１Ｇａ，６０１Ｇａとビア電極ＶＨ６７ａにより、第１フィルタ回路の平衡側インダクタＬ３ａが構成される。コイル電極７０１Ｇａの他方端は、ビア電極ＶＨ７８ａを介して、誘電体層１０８Ｔのコイル電極８０１Ｇａの一方端に接続されている。
【０２７９】
コイル電極７０１Ｇｂの一方端は、ビア電極ＶＨ６７ｂを介してコイル電極６０１Ｇｂの他方端に接続されている。コイル電極７０１Ｇｂは、当該一方端を始点として、コイル電極６０１Ｇｂと同じ方向に巻回する巻回形に形成されている。コイル電極７０１Ｇｂ，６０１Ｇｂとビア電極ＶＨ６７ｂとにより、第２フィルタ回路の平衡側インダクタＬ３ｂが構成される。コイル電極７０１Ｇｂの他方端は、ビア電極ＶＨ７８ｂを介して、誘電体層１０８Ｔのコイル電極８０１Ｇｂの一方端に接続されている。
【０２８０】
コイル電極７０１Ｇｃは、平面視して、コイル電極７０１Ｇａよりも第１側面側、すなわち第１フィルタ回路の不平衡端子Ｐｕｎｂａ側に形成されている。コイル電極７０１Ｇｃは、一方端が第３側面の接続用電極Ｓｅａ２に接続されている。コイル電極７０１Ｇｃは、当該一方端を始点として巻回形に形成されている。コイル電極７０１Ｇｃの他方端は、ビア電極ＶＨ７９ａを介して、誘電体層１０９Ｔのコイル電極９０１Ｇｃの一方端に接続されている。
【０２８１】
コイル電極７０１Ｇｄは、平面視して、コイル電極７０１Ｇｂよりも第１側面側、すなわち第２フィルタ回路の不平衡端子Ｐｕｎｂｂ側に形成されている。コイル電極７０１Ｇｄは、一方端が第４側面の接続用電極Ｓｅｂ２に接続されている。コイル電極７０１Ｇｄは、当該一方端を始点としてコイル電極７０１Ｇｃと逆方向の巻回形に形成されている。コイル電極７０１Ｇｄの他方端は、ビア電極ＶＨ７９ｂを介して、誘電体層１０９Ｔのコイル電極９０１Ｇｄの一方端に接続されている。
【０２８２】
誘電体層１０８Ｔには、第１フィルタ回路側の領域にコイル電極８０１Ｇａが形成され、第２フィルタ回路側の領域にコイル電極８０１Ｇｂが形成されている。
【０２８３】
コイル電極８０１Ｇａの一方端は、ビア電極ＶＨ７８ａを介して、コイル電極７０１Ｇａの他方端に接続されている。コイル電極８０１Ｇａは、当該一方端を始点とする巻回形に形成されている。この際、コイル電極８０１Ｇａは、平面視してコイル電極７０１Ｇｃと少なくとも部分的に重なり合い、コイル電極７０１Ｇｃと電磁界結合する形状で形成されている。コイル電極８０１Ｇａの他方端は、ビア電極ＶＨ８９ａを介して、誘電体層１０９Ｔのコイル電極９０１Ｇａの一方端に接続されている。コイル電極８０１Ｇａが第１フィルタ回路の平衡側インダクタＬ２ａとなる。
【０２８４】
コイル電極８０１Ｇａの巻回方向の所定位置は、グランド接続用電極９９９Ｇａを介して、第１側面のグランド接続端子ＧＮＤへ接続されている。この際、上述の各実施形態と同様に、グランド用接続電極９９９Ｇａのコイル電極８０１Ｇａの接続位置は、所望とするバランス特性が得られるように決定されている。
【０２８５】
コイル電極８０１Ｇｂの一方端は、ビア電極ＶＨ７８ｂを介して、コイル電極７０１Ｇｂの他方端に接続されている。コイル電極８０１Ｇｂは、当該一方端を始点とする巻回形に形成されている。この際、コイル電極８０１Ｇｂは、平面視してコイル電極７０１Ｇｄと少なくとも部分的に重なり合い、コイル電極７０１Ｇｄと電磁界結合する形状で形成されている。コイル電極８０１Ｇｂの他方端は、ビア電極ＶＨ８９ｂを介して、誘電体層１０９Ｔのコイル電極９０１Ｇｂの一方端に接続されている。コイル電極８０１Ｇｂが第２フィルタ回路の平衡側インダクタＬ２ｂとなる。
【０２８６】
コイル電極８０１Ｇｂの巻回方向の所定位置は、グランド接続用電極９９９Ｇｂを介して、第１側面のグランド接続端子ＧＮＤへ接続されている。この際、上述の各実施形態と同様に、グランド用接続電極９９９Ｇｂのコイル電極８０１Ｇｂの接続位置は、所望とするバランス特性が得られるように決定されている。
【０２８７】
誘電体層１０９Ｔには、第１フィルタ回路側の領域にコイル電極９０１Ｇａ，９０１Ｇｂが形成され、第２フィルタ回路側の領域にコイル電極９０１Ｇｃ，９０１Ｇｄが形成されている。
【０２８８】
コイル電極９０１Ｇｃの一方端は、ビア電極ＶＨ７９ａを介してコイル電極７０１Ｇｃの他方端に接続されている。コイル電極９０１Ｇｃは、当該一方端を始点としてコイル電極７０１Ｇｃと同じ方向に巻回する巻回形に形成されている。この際、コイル電極９０１Ｇａとコイル電極７０１Ｇｃとは、それぞれの形成領域が平面視して略重なるように形成されている。コイル電極９０１Ｇｃ，７０１Ｇｃおよびビア電極ＶＨ７９ａにより、第１フィルタ回路の不平衡側インダクタＬ１ａが構成される。コイル電極９０１Ｇｃの他方端は、第１側面のグランド端子ＧＮＤに接続されている。
【０２８９】
コイル電極９０１Ｇａの一方端は、ビア電極ＶＨ８９ａを介して、コイル電極８０１Ｇａの他方端に接続されている。コイル電極９０１Ｇａは、コイル電極９０１Ｇｃに対して第２側面側の領域に形成されており、当該一方端を始点としてコイル電極７０１Ｇａと同じ方向に巻回する巻回形に形成されている。コイル電極９０１Ｇａの他方端は、ビア電極ＶＨ９１０ａを介して、誘電体層１１０Ｔのコイル電極１００１Ｇａの一方端に接続されている。
【０２９０】
コイル電極９０１Ｇｂの一方端は、ビア電極ＶＨ８９ｂを介して、コイル電極８０１Ｇｂの他方端に接続されている。コイル電極９０１Ｇｂは、コイル電極９０１Ｇｄに対して第２側面側の領域に形成されており、当該一方端を始点としてコイル電極７０１Ｇｂと同じ方向に巻回する巻回形に形成されている。コイル電極９０１Ｇｂの他方端は、ビア電極ＶＨ９１０ｂを介して、誘電体層１１０Ｔのコイル電極１００１Ｇｂの一方端に接続されている。
【０２９１】
誘電体層１１０Ｔには、第１フィルタ回路側の領域にコイル電極１００１Ｇａが形成され、第２フィルタ回路側の領域にコイル電極１００１Ｇｂが形成されている。コイル電極１００１Ｇａの一方端は、ビア電極ＶＨ９１０ａを介してコイル電極９０１Ｇａの他方端に接続されている。コイル電極１００１Ｇａは、当該一方端を始点としてコイル電極９０１Ｇａと同じ方向に巻回する巻回形に形成されている。コイル電極１００１Ｇａ，９０１Ｇａとビア電極ＶＨ９１０ａとにより、第１フィルタ回路の平衡側インダクタＬ４ａが構成される。コイル電極１００１Ｇａの他方端は、ビア電極ＶＨ１０１１ａを介して、誘電体層１１１Ｔの平板電極１１０１Ｇａに接続されている。
【０２９２】
コイル電極１００１Ｇｂの一方端は、ビア電極ＶＨ９１０ｂを介してコイル電極９０１Ｇｂの他方端に接続されている。コイル電極１００１Ｇｂは、当該一方端を始点としてコイル電極９０１Ｇｂと同じ方向に巻回する巻回形に形成されている。コイル電極１００１Ｇｂ，９０１Ｇｂとビア電極ＶＨ９１０ｂとにより、第２フィルタ回路の平衡側インダクタＬ４ｂが構成される。コイル電極１００１Ｇｂの他方端は、ビア電極ＶＨ１０１１ｂを介して、誘電体層１１１Ｔの平板電極１１０１Ｇｂに接続されている。
【０２９３】
誘電体層１１１Ｔには、外部端子に直接接続しない浮き電極であり、それぞれが所定の面積からなり、平面視して略四角形の平板電極１１０１Ｇａ，１１０１Ｇｂが形成されている。
【０２９４】
平板電極１１０１Ｇａは、積層体１００Ｇを平面視した第１フィルタ回路の第１、第２平衡端子Ｐｂａ１，Ｐｂａ２側の領域に形成されている。すなわち、平板電極１１０１Ｇａは、積層体１００Ｇ平面視して、コイル電極９０１Ｇａ，１００１Ｇａの形成領域と重なるように形成されている。平板電極１１０１Ｇａは、ビア電極ＶＨ１１１３ａを介して、誘電体層１１３Ｔの平板電極１３０１Ｇａに接続されている。
【０２９５】
平板電極１１０１Ｇｂは、積層体１００Ｇを平面視した第２フィルタ回路の第１、第２平衡端子Ｐｂｂ１，Ｐｂｂ２側の領域に形成されている。すなわち、平板電極１１０１Ｇｂは、積層体１００Ｇ平面視して、コイル電極９０１Ｇｂ，１００１Ｇｂの形成領域と重なるように形成されている。平板電極１１０１Ｇｂは、ビア電極ＶＨ１１１３ｂを介して、誘電体層１１３Ｔの平板電極１３０１Ｇｂに接続されている。
【０２９６】
誘電体層１１２Ｔには、それぞれが所定の面積からなり、平面視して略四角形の平板電極１２０１Ｇａ，１２０１Ｇｂ，１２０１Ｇｃ，１２０１Ｇｄが形成されている。
【０２９７】
平板電極１２０１Ｇａは、平板電極１１０１Ｇａと積層方向に沿って対向するように形成されている。平板電極１２０１Ｇａ，１１０１Ｇａと誘電体層１１１Ｔとにより、第１フィルタ回路のキャパシタＣ５ａが構成される。平板電極１２０１Ｇａは、第２側面の第１フィルタ回路の第２平衡端子Ｐｂａ２に接続されている。
【０２９８】
平板電極１２０１Ｇｂは、平板電極１１０１Ｇｂと積層方向に沿って対向するように形成されている。平板電極１２０１Ｇｂ，１１０１Ｇｂと誘電体層１１１Ｔとにより、第２フィルタ回路のキャパシタＣ５ｂが構成される。平板電極１２０１Ｇｂは、第２側面の第２フィルタ回路の第２平衡端子Ｐｂｂ２に接続されている。
【０２９９】
平板電極１２０１Ｇｃは、積層体１００Ｇを平面視した第１フィルタ回路の不平衡端子Ｐｕｎｂａ側の領域に形成されている。すなわち、平板電極１２０１Ｇｃは、積層体１００Ｇを平面視して、コイル電極７０１Ｇｃ，９０１Ｇｃの形成領域と重なるように形成されている。平板電極１２０１Ｇｃは、第１側面のグランド端子ＧＮＤに接続されている。
【０３００】
平板電極１２０１Ｇｄは、積層体１００Ｇを平面視した第２フィルタ回路の不平衡端子Ｐｕｎｂｂ側の領域に形成されている。すなわち、平板電極１２０１Ｇｄは、積層体１００Ｇを平面視して、コイル電極７０１Ｇｄ，９０１Ｇｄの形成領域と重なるように形成されている。平板電極１２０１Ｇｄは、第１側面のグランド端子ＧＮＤに接続されている。
【０３０１】
誘電体層１１３Ｔには、それぞれが所定の面積からなり、平面視して略四角形の平板電極１３０１Ｇａ，１３０１Ｇｂ，１３０１Ｇｃ，１３０１Ｇｄが形成されている。
【０３０２】
平板電極１３０１Ｇｃは、平板電極１２０１Ｇｃと積層方向に沿って対向するように、形成されている。平板電極１３０１Ｇｃ，１２０１Ｇｃと誘電体層１１２Ｔとにより、第１フィルタ回路の不平衡側キャパシタＣ１ａが構成される。平板電極１３０１Ｇｃは、第３側面の接続用電極Ｓｅａ２に接続されている。
【０３０３】
平板電極１３０１Ｇｄは、平板電極１２０１Ｇｄと積層方向に沿って対向するように、形成されている。平板電極１３０１Ｇｄ，１２０１Ｇｄと誘電体層１１２Ｔとにより、第２フィルタ回路の不平衡側キャパシタＣ１ｂが構成される。平板電極１３０１Ｇｄは、第４側面の接続用電極Ｓｅｂ２に接続されている。
【０３０４】
平板電極１３０１Ｇａは、平板電極１１０１Ｇａ，１２０１Ｇａと積層方向に沿って対向するように、形成されている。平板電極１３０１Ｇａは、外部端子に直接接続しない浮き電極である。平板電極１３０１Ｇａは、ビア電極ＶＨ１１１３ａを介して平板電極１１０１Ｇａに接続されている。
【０３０５】
平板電極１３０１Ｇｂは、平板電極１１０１Ｇｂ，１２０１Ｇｂと積層方向に沿って対向するように、形成されている。平板電極１３０１Ｇｂは、外部端子に直接接続しない浮き電極である。平板電極１３０１Ｇｂは、ビア電極ＶＨ１１１３ｂを介して平板電極１１０１Ｇｂに接続されている。
【０３０６】
誘電体層１１４Ｔには、それぞれが所定の面積からなり、平面視して略四角形の平板電極１４０１Ｇａ，１４０１Ｇｂ，１４０１Ｇｃ，１４０１Ｇｄが形成されている。
【０３０７】
平板電極１４０１Ｇａは、平板電極１３０１Ｇａと積層方向に沿って対向するように形成されている。平板電極１４０１Ｇａは、第３側面の接続用電極Ｓｅａ１に接続されている。平板電極１４０１Ｇａ，１３０１Ｇａ，１２０１Ｇａと誘電体層１１２Ｔ，１１３Ｔとにより、第１フィルタ回路の第２平衡側キャパシタＣ３ａが構成される。
【０３０８】
平板電極１４０１Ｇｂは、平板電極１３０１Ｇｂと積層方向に沿って対向するように形成されている。平板電極１４０１Ｇｂは、第４側面の接続用電極Ｓｅｂ１に接続されている。平板電極１４０１Ｇｂ，１３０１Ｇｂ，１２０１Ｇｂと誘電体層１１２Ｔ，１１３Ｔとにより、第２フィルタ回路の第２平衡側キャパシタＣ３ｂが構成される。
【０３０９】
平板電極１４０１Ｇｃは、平板電極１３０１Ｇｃと積層方向に沿って対向するように形成されている。平板電極１４０１Ｇｃは、第１側面の第１フィルタ回路の不平衡端子Ｐｕｎｂａに接続されている。
【０３１０】
平板電極１４０１Ｇｄは、平板電極１３０１Ｇｄと積層方向に沿って対向するように形成されている。平板電極１４０１Ｇｄ，１３０１Ｇｄと誘電体層１１３Ｔとにより、第２フィルタ回路のキャパシタＣ０ｂが構成される。平板電極１４０１Ｇｄは、第１側面の第２フィルタ回路の不平衡端子Ｐｕｎｂｂに接続されている。
【０３１１】
誘電体層１１５Ｔには、所定面積で平面視して略四角形の平板電極１５０１Ｇｃが形成されている。平板電極１５０１Ｇｃは、平板電極１４０１Ｇｃと積層方向に沿って対向するように形成されている。平板電極１５０１Ｇｃ，１４０１Ｇｃ，１３０１Ｇｃと誘電体層１１３Ｔ，１１４Ｔとにより、第１フィルタ回路のキャパシタＣ０ａが構成される。
【０３１２】
このように、本実施形態の構成であっても、上述の各実施形態と同様に、安定したバランス特性の積層型フィルタを実現することができる。さらに、不平衡端子と平衡端子にキャパシタが直列接続されることで、不平衡端子側および平衡端子側からの不要な直流信号の入力を抑制することができる。
【０３１３】
また、本実施形態の構成を用い、第１フィルタ回路の平衡側インダクタＬ３ａ，Ｌ４ａおよび第２フィルタ回路の平衡側インダクタＬ３ｂ，Ｌ４ｂを所望のインダクタンスに設定することで、平衡型信号の出力インピーダンスを所望値に設定することができる。また、第１フィルタ回路の平衡側インダクタＬ３ａ，Ｌ２ａ，Ｌ４ａおよび第２フィルタ回路の平衡側インダクタＬ３ｂ，Ｌ２ｂ，Ｌ４ｂの巻き方向を同じにすることで、フィルタ回路毎の損失を低下させ、挿入損失の小さいフィルタを構成することができる。
【０３１４】
次に、第８の実施形態に係る積層型フィルタについて、図を参照して説明する。本実施形態の積層型フィルタ１０Ｈは、第４実施形態で示した積層型フィルタ１０Ｄと回路構成が同じであるので、回路構成の説明は省略する。
【０３１５】
図２１は本実施形態に係る積層型フィルタ１０Ｈの外観斜視図である。図２２は本実施形態に係る積層型フィルタ１０Ｈの分解斜視図である。
【０３１６】
第１フィルタ回路を構成する各回路素子と、第２フィルタ回路を構成する各回路素子とは、高周波的に結合しないように、積層体１００Ｈを平面視して個別の領域に形成されている。また、具体的な巻回形状は図２２に示すが、インダクタの巻回方向は、フィルタ回路同士で逆になっている。これにより、第１フィルタ回路と第２フィルタ回路との結合が抑制される。
【０３１７】
積層型フィルタ１０Ｈは、１０層の誘電体層１０１Ｔ−１１０Ｔを順次積層した積層体１００Ｈによって実現される。
【０３１８】
積層体１００Ｈは、図２１に示すように、外形形状が略直方体形状からなる。積層体１００Ｈの第１側面には、第１フィルタ回路の不平衡端子用の外部電極（以下、不平衡端子Ｐｕｎｂａと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。本実施形態では、第１側面に形成されているグランド接続端子ＧＮＤは一個である。
【０３１９】
前記第１側面に対向する積層体１００Ｈの第２側面には、第１フィルタ回路の第２平衡端子用の外部電極（以下、第２平衡端子Ｐｂａ２と称する。）、第２フィルタ回路の第２平衡端子用の外部電極（以下、第２平衡端子Ｐｂｂ２と称する。）が、ＮＣ端子を挟んで、この順で配列形成されている。この際、第１フィルタ回路の不平衡端子Ｐｕｎｂａと第２平衡端子Ｐｂａ２とが対向するように配置されている。
【０３２０】
第１側面および第２側面に直交し、第１フィルタ回路側となる第３側面には、第１フィルタ回路の第１平衡端子用の外部電極（以下、第１平衡端子Ｐｂａ１と称する。）が形成されている。第１側面および第２側面に直交し、第２フィルタ回路側となる第４側面には、第２フィルタ回路の第１平衡端子用の外部電極（以下、第１平衡端子Ｐｂｂ１と称する。）が形成されている。上述の各実施形態と同様に、以下の各誘電体層の説明では、内層電極との接続関係を除き、これら外部端子の形成位置および形状の説明は省略する。
【０３２１】
積層体１００Ｈの最上層となる誘電体層１０１Ｔには、上記外部端子の電極パターンのみが形成されている。なお、図示しないが、誘電体層１０１Ｔの天面、すなわち積層体１００Ｈの天面に、実装方向を定義するためのマーキング電極が形成されている。
【０３２２】
誘電体層１０２Ｔには、コイル電極２０１Ｈａ，２０１Ｈｂが形成されている。コイル電極２０１Ｈａは一方端が第２側面の第１フィルタ回路の第２平衡端子Ｐｂａ２に接続されている。コイル電極２０１Ｈａは平面視して、当該一方端を始点として、巻回形に形成されている。コイル電極２０１Ｈａの他方端は導電性のビア電極ＶＨ２３ａを介して、誘電体層１０３Ｔのコイル電極３０１Ｈａの一方端に接続されている。
【０３２３】
コイル電極２０１Ｈｂは一方端が第２側面の第２フィルタ回路の第２平衡端子Ｐｂｂ２に接続されている。コイル電極２０１Ｈｂは平面視して、当該一方端を始点として、巻回形に形成されている。コイル電極２０１Ｈｂの他方端は導電性のビア電極ＶＨ２３ｂを介して、誘電体層１０３Ｔのコイル電極３０１Ｈｂの一方端に接続されている。
【０３２４】
誘電体層１０３Ｔには、コイル電極３０１Ｈａ，３０１Ｈｂ，３０１Ｈｃ，３０１Ｈｄが形成されている。
【０３２５】
コイル電極３０１Ｈａは一方端がビア電極ＶＨ２３ａを介してコイル電極２０１Ｈａの他方端に接続されている。コイル電極３０１Ｈａは平面視して、当該一方端を始点として、コイル電極２０１Ｈａと同じ方向へ巻回する巻回形に形成されている。コイル電極３０１Ｈａの他方端は導電性のビア電極ＶＨ３４ａを介して、誘電体層１０４Ｔのコイル電極４０１Ｈａの一方端に接続されている。コイル電極３０１Ｈａと、コイル電極２０１Ｈａおよびビア電極ＶＨ２３ａとにより、第１フィルタ回路の平衡側インダクタＬ４ａが構成される。
【０３２６】
コイル電極３０１Ｈｂは一方端がビア電極ＶＨ２３ｂを介してコイル電極２０１Ｈｂの他方端に接続されている。コイル電極３０１Ｈｂは、平面視して、当該一方端を始点として、コイル電極２０１Ｈｂと同じ方向へ巻回する巻回形に形成されている。コイル電極３０１Ｈｂの他方端は導電性のビア電極ＶＨ３４ｂを介して、誘電体層１０４Ｔのコイル電極４０１Ｈｂの一方端に接続されている。コイル電極３０１Ｈｂと、コイル電極２０１Ｈｂおよびビア電極ＶＨ２３ｂとにより、第２フィルタ回路の平衡側インダクタＬ４ｂが構成される。
【０３２７】
コイル電極３０１Ｈｃは、一方端が第１側面のグランド端子ＧＮＤに接続されている。コイル電極３０１Ｈｃは、平面視して、当該一方端を始点として巻回形に形成されている。コイル電極３０１Ｈｃの他方端は導電性のビア電極ＶＨ３５ａを介して、誘電体層１０５Ｔのコイル電極５０１Ｈｃの一方端に接続されている。
【０３２８】
コイル電極３０１Ｈｄは、一方端が第１側面のグランド端子ＧＮＤに接続されている。コイル電極３０１Ｈｄは、平面視して、当該一方端を始点として巻回形に形成されている。コイル電極３０１Ｈｄの他方端は導電性のビア電極ＶＨ３５ｂを介して、誘電体層１０５Ｔのコイル電極５０１Ｈｄの一方端に接続されている。なお、コイル電極３０１Ｈｃ，３０１Ｈｄの一方端は、共通グランド接続用電極により、一個のグランド端子ＧＮＤへ接続されている。
【０３２９】
誘電体層１０４Ｔには、コイル電極４０１Ｈａ，４０１Ｈｂが形成されている。コイル電極４０１Ｈａの一方端は、ビア電極ＶＨ３４ａを介して、コイル電極３０１Ｈａの他方端に接続されている。コイル電極４０１Ｈａは、その少なくとも一部がコイル電極３０１Ｈｃと平面視して重なり合うように、すなわち、コイル電極３０１Ｈｃと電磁界結合するように、巻回形状に形成されている。コイル電極４０１Ｈａの他方端は、ビア電極ＶＨ４５ａを介して、誘電体層１０５Ｔのコイル電極５０１Ｈａの一方端に接続されている。このコイル電極４０１Ｈａにより、第１フィルタ回路の平衡側インダクタＬ２ａが構成される。
【０３３０】
コイル電極４０１Ｈｂの一方端は、ビア電極ＶＨ３４ｂを介して、コイル電極３０１Ｈｂの他方端に接続されている。コイル電極４０１Ｈｂは、その少なくとも一部がコイル電極３０１Ｈｄと平面視して重なり合うように、すなわち、コイル電極３０１Ｈｄと電磁界結合するように、巻回形状に形成されている。コイル電極４０１Ｈｂの他方端は、ビア電極ＶＨ４５ｂを介して、誘電体層１０５Ｔのコイル電極５０１Ｈｂの一方端に接続されている。このコイル電極４０１Ｈｂにより、第２フィルタ回路の平衡側インダクタＬ２ｂが構成される。
【０３３１】
また、コイル電極４０１Ｈａ，４０１Ｈｂは、巻回形の所定位置が共通グランド接続用電極９９９Ｈａにより第１側面のグランド端子ＧＮＤに接続されている。これにより、平衡側インダクタＬ２ａ，Ｌ２ｂの所定点がグランド接続される。
【０３３２】
誘電体層１０５Ｔには、コイル電極５０１Ｈａ，５０１Ｈｂ，５０１Ｈｃ，５０１Ｈｄが形成されている。
【０３３３】
コイル電極５０１Ｈａの一方端は、ビア電極ＶＨ４５ａを介してコイル電極４０１Ｈａに接続されている。コイル電極５０１Ｈａは、平面視して、当該一方端を始点する巻回形に形成されている。この際、コイル電極５０１Ｈａは、積層体１００Ｈを平面視して第１フィルタ回路の第１、第２平衡端子Ｐｂａ１，Ｐｂａ２側の領域、すなわち、上述のコイル電極２０１Ｈａ，３０１Ｈａと重なり合うような領域に形成されている。コイル電極５０１Ｈａの他方端は、ビア電極ＶＨ５６ａを介して、誘電体層１０６Ｔのコイル電極６０１Ｈａの一方端に接続されている。
【０３３４】
コイル電極５０１Ｈｂの一方端は、ビア電極ＶＨ４５ｂを介してコイル電極４０１Ｈｂに接続されている。コイル電極５０１Ｈｂは、平面視して、当該一方端を始点する巻回形に形成されている。この際、コイル電極５０１Ｈｂは、積層体１００Ｈを平面視して第２フィルタ回路の第１、第２平衡端子Ｐｂｂ１，Ｐｂｂ２側の領域、すなわち、上述のコイル電極２０１Ｈｂ，３０１Ｈｂと重なり合うような領域に形成されている。コイル電極５０１Ｈｂの他方端は、ビア電極ＶＨ５６ｂを介して、誘電体層１０６Ｔのコイル電極６０１Ｈｂの一方端に接続されている。
【０３３５】
コイル電極５０１Ｈｃの一方端は、ビア電極ＶＨ３５ａを介してコイル電極３０１Ｈｃに接続されている。コイル電極５０１Ｈｃは、平面視して、当該一方端を始点としてコイル電極３０１Ｈｃと同じ方向に巻回する巻回形に形成されている。この際、コイル電極５０１Ｈｃも、コイル電極４０１Ｈａと電磁界結合するように、積層体を平面視してコイル電極４０１Ｈａと少なくとも一部が重なる位置に形成されている。コイル電極５０１Ｈｃの他方端は、第１フィルタ回路の不平衡端子Ｐｕｎｂａに接続されている。コイル電極５０１Ｈｃと、コイル電極３０１Ｈｃおよびビア電極ＶＨ３５ａにより、第１フィルタ回路の不平衡側インダクタＬ１ａが構成される。
【０３３６】
コイル電極５０１Ｈｄの一方端は、ビア電極ＶＨ３５ｂを介してコイル電極３０１Ｈｄに接続されている。コイル電極５０１Ｈｄは、平面視して、当該一方端を始点としてコイル電極３０１Ｈｄと同じ方向に巻回する巻回形に形成されている。この際、コイル電極５０１Ｈｄも、コイル電極４０１Ｈｂと電磁界結合する積層体を平面視してコイル電極４０１Ｈｂと少なくとも一部が重なる位置に形成されている。コイル電極５０１Ｈｄの他方端は、第２フィルタ回路の不平衡端子Ｐｕｎｂｂに接続されている。コイル電極５０１Ｈｄと、コイル電極３０１Ｈｄおよびビア電極ＶＨ３５ｂとにより、第２フィルタ回路の不平衡側インダクタＬ１ｂが構成される。
【０３３７】
誘電体層１０６Ｔには、コイル電極６０１Ｈａ，６０１Ｈｂが形成されている。コイル電極６０１Ｈａの一方端は、ビア電極ＶＨ５６ａを介してコイル電極５０１Ｈａの他方端に接続されている。コイル電極６０１Ｈａは、平面視して、当該一方端を始点としてコイル電極５０１Ｈａと同じ方向に巻回する巻回形状に形成されている。コイル電極６０１Ｈａと、コイル電極５０１Ｈａおよびビア電極ＶＨ５６ａとにより、第１フィルタ回路の平衡側インダクタＬ３ａが構成される。
【０３３８】
コイル電極６０１Ｈｂの一方端は、ビア電極ＶＨ５６ｂを介してコイル電極５０１Ｈｂの他方端に接続されている。コイル電極６０１Ｈｂは、平面視して、当該一方端を始点としてコイル電極５０１Ｈｂと同じ方向に巻回する巻回形状に形成されている。コイル電極６０１Ｈｂと、コイル電極５０１Ｈｂおよびビア電極ＶＨ５６ｂとにより、第２フィルタ回路の平衡側インダクタＬ３ｂが構成される。
【０３３９】
誘電体層１０７Ｔには、それぞれが所定の面積からなり、平面視して略四角形の平板電極７０１Ｈａ，７０１Ｈｂ、７０１Ｈｃ，７０１Ｈｄが形成されている。
【０３４０】
平板電極７０１Ｈｃは、積層体１００Ｈを平面視した第１フィルタ回路の不平衡端子Ｐｕｎｂａ側の領域に形成されている。すなわち、平板電極７０１Ｈｃは、積層体１００Ｈを平面視して、コイル電極３０１Ｈｃ，５０１Ｈｃの形成領域と重なるように形成されている。平板電極７０１Ｈｃは、第１側面のグランド端子ＧＮＤに接続されている。
【０３４１】
平板電極７０１Ｈｄは、積層体１００Ｈを平面視した第２フィルタ回路の不平衡端子Ｐｕｎｂｂ側の領域に形成されている。すなわち、平板電極７０１Ｈｄは、積層体１００Ｈを平面視して、コイル電極３０１Ｈｄ，５０１Ｈｄの形成領域と重なるように形成されている。平板電極７０１Ｈｄは、第１側面のグランド端子ＧＮＤに接続されている。
【０３４２】
この際、平板電極７０１Ｈｃ，７０１Ｈｄは、共通グランド接続用電極により、一個のグランド端子ＧＮＤへ接続されている。
【０３４３】
平板電極７０１Ｈａは、積層体１００Ｈを平面視した第１フィルタ回路の第２平衡端子Ｐｂａ２側の領域に形成されている。平板電極７０１Ｈａは、グランド端子ＧＮＤを含む外部端子に接続しない浮き電極である。
【０３４４】
平板電極７０１Ｈｂは、積層体１００Ｈを平面視した第２フィルタ回路の第２平衡端子Ｐｂｂ２側の領域に形成されている。平板電極７０１Ｈｂは、グランド端子ＧＮＤを含む外部端子に接続しない浮き電極である。
【０３４５】
誘電体層１０８Ｔには、それぞれが所定の面積からなり、平面視して略四角形の平板電極８０１Ｈａ，８０１Ｈｂ，８０１Ｈｃ，８０１Ｈｄ，８０１Ｈｅ，８０１Ｈｆが形成されている。
【０３４６】
平板電極８０１Ｈｅは、積層体１００Ｈを平面視して、平板電極７０１Ｈｃと対向するように形成されている。これら平板電極８０１Ｈｅ，７０１Ｈｃおよび誘電体層１０７Ｔにより、第１フィルタ回路の不平衡側キャパシタＣ１ａが構成される。平板電極８０１Ｈｅは、第１側面の第１フィルタ回路の不平衡端子Ｐｕｎｂａに接続されている。
【０３４７】
平板電極８０１Ｈｆは、積層体１００Ｈを平面視して、平板電極７０１Ｈｄと積層方向に沿って対向するように形成されている。これら平板電極８０１Ｈｆ，７０１Ｈｄおよび誘電体層１０７Ｔにより、第２フィルタ回路の不平衡側キャパシタＣ１ｂが構成される。平板電極８０１Ｈｆは、第１側面の第２フィルタ回路の不平衡端子Ｐｕｎｂｂに接続されている。
【０３４８】
平板電極８０１Ｈａ，８０１Ｈｃは、それぞれ平板電極７０１Ｈａと積層方向に沿って対向するように形成されている。平板電極８０１Ｈａは第２側面の第１フィルタの第２平衡端子Ｐｂａ２へ接続されており、平板電極８０１Ｈｃは第３側面の第１フィルタの第１平衡端子Ｐｂａ１へ接続されている。
【０３４９】
平板電極８０１Ｈｂ，８０１Ｈｄは、それぞれ平板電極７０１Ｈｂと積層方向に沿って対向するように形成されている。平板電極８０１Ｈｂは第２側面の第２フィルタの第２平衡端子Ｐｂｂ２へ接続されており、平板電極８０１Ｈｄは第４側面の第２フィルタの第１平衡端子Ｐｂｂ１へ接続されている。
【０３５０】
誘電体層１０９Ｔには、それぞれが所定の面積からなり、平面視して略四角形の平板電極９０１Ｈａ，９０１Ｈｂが形成されている。平板電極９０１Ｈａは、平板電極８０１Ｈａ，８０１Ｈｃと積層方向に沿って対向するように形成されている。これら平板電極９０１Ｈａ，８０１Ｈａ，７０１Ｈａと誘電体層１０７Ｔ，１０８Ｔとにより、第１フィルタ回路の第２平衡側キャパシタＣ３ａが構成される。これら平板電極９０１Ｈａ，８０１Ｈｃ，７０１Ｈａと誘電体層１０７Ｔ，１０８Ｔとにより、第１フィルタ回路の第１平衡側キャパシタＣ２ａが構成される。
【０３５１】
平板電極９０１Ｈｂは、平板電極８０１Ｈｂ，８０１Ｈｄと積層方向に沿って対向するように形成されている。
【０３５２】
誘電体層１１０Ｔには、それぞれが所定の面積からなり、平面視して略四角形の平板電極１００１Ｈｂ，１００１Ｈｄが形成されている。平板電極１００１Ｈｂ，１００１Ｈｄは、それぞれ平板電極９０１Ｈｂと積層方向に沿って対向するように形成されている。
【０３５３】
平板電極７０１Ｈｂ，８０１Ｈｂ，９０１Ｈｂ，１００１Ｈｂと誘電体層１０７Ｔ，１０８Ｔ，１０９Ｔとにより第２フィルタ回路の第２平衡側キャパシタＣ３ｂが構成される。平板電極７０１Ｈｂ，８０１Ｈｄ，９０１Ｈｂ，１００１Ｈｄと誘電体層１０７Ｔ，１０８Ｔ，１０９Ｔとにより第２フィルタ回路の第１平衡側キャパシタＣ２ｂが構成される。
【０３５４】
平板電極１００１Ｈｂは、第２側面の第２フィルタ回路の第２平衡端子Ｐｂｂ２に接続されている。平板電極１００１Ｈｄは、第４側面の第２フィルタ回路の第１平衡端子Ｐｂｂ１に接続されている。
【０３５５】
以上のように、本実施形態の構成を用いても、上述の各実施形態と同様に、安定したバランス特性の積層型フィルタを実現することができる。さらに、グランド端子ＧＮＤが第１フィルタ回路と第２フィルタ回路とで共用され、積層体１００Ｈの側面に一個だけで形成されているので、積層体１００Ｈをより小型化することができる。
【０３５６】
また、本実施形態の構成を用い、第１フィルタ回路の平衡側インダクタＬ３ａ，Ｌ４ａおよび第２フィルタ回路の平衡側インダクタＬ３ｂ，Ｌ４ｂを所望のインダクタンスに設定することで、平衡型信号の出力インピーダンスを所望値に設定することができる。また、第１フィルタ回路の平衡側インダクタＬ３ａ，Ｌ２ａ，Ｌ４ａおよび第２フィルタ回路の平衡側インダクタＬ３ｂ，Ｌ２ｂ，Ｌ４ｂの巻き方向を同じにすることで、フィルタ回路毎の損失を低下させ、挿入損失の小さいフィルタを構成することができる。
【０３５７】
なお、上述の各実施形態の説明では、平衡側キャパシタＣ２，Ｃ３のキャパシタンス（容量）比を特に示していないが、積層型フィルタを構成する他の回路素子や回路パターンに応じて、キャパシタンス比は適宜設定することができる。この場合、平衡側キャパシタＣ２，Ｃ３を構成する平板電極の対向面積をそれぞれ変化させればよい。
【０３５８】
また、上述の各実施形態で示した積層数は、仕様等に応じて適宜設定することができる。
【符号の説明】
【０３５９】
１０Ａ，１０Ｂ，１０Ｃ，１０Ｄ，１０Ｅ，１０Ｆ，１０Ｇ：積層型フィルタ、１００Ｂ，１００Ｃ，１００Ｄ，１００Ｅ，１００Ｆ，１００Ｇ：積層体、１０１−１１５、１０１Ｔ−１１５Ｔ：誘電体層、
２０１Ａ，２０２Ａ，３０１Ａ，４０１Ａ，４０２Ａ、５０１Ｂ，６０１Ｂ，６０２Ｂ，７０１Ｂ，８０１Ｂ，８０２Ｂ，９０１Ｂ，５０１Ｃ，６０１Ｃ，６０２Ｃ，７０１Ｃ，８０１Ｃ，８０２Ｃ，９０１Ｃ、２０１Ｄａ，２０１Ｄｂ，３０１Ｄａ，３０１Ｄｂ，３０１Ｄｃ，３０１Ｄｄ，４０１Ｄａ，４０１Ｄｂ，５０１Ｄａ，５０１Ｄｂ，５０１Ｄｃ，５０１Ｄｄ，６０１Ｄａ，６０１Ｄｂ、２０１Ｅａ，２０１Ｅｂ，３０１Ｅａ，３０１Ｅｂ，３０１Ｅｃ，３０１Ｅｄ，４０１Ｅａ，４０１Ｅｂ，５０１Ｅａ，５０１Ｅｂ，５０１Ｅｃ，５０１Ｅｄ，６０１Ｅａ，６０１Ｅｂ，５０１Ｆａ，６０１Ｆａ，６０１Ｆｂ，７０１Ｆａ，７０１Ｆｂ，７０１Ｆｃ，７０１Ｆｄ，８０１Ｆａ，８０１Ｆｂ，９０１Ｆａ，９０１Ｆｂ，９０１Ｆｃ，９０１Ｆｄ，１００１Ｆａ，１００１Ｆｂ，１１０１Ｆａ，６０１Ｇａ，６０１Ｇｂ，７０１Ｇａ，７０１Ｇｂ，７０１Ｇｃ，７０１Ｇｄ，８０１Ｇａ，８０１Ｇｂ，９０１Ｇａ，９０１Ｇｂ，９０１Ｇｃ，９０１Ｇｄ，１００１Ｇａ，１００１Ｇｂ：コイル電極、
６０１Ａ，７０１Ａ，７０２Ａ，８０１Ａ，８０２Ａ，２０１Ｂ，３０１Ｂ，１１０１Ｂ，１２０１Ｂ，１２０２Ｂ，１３０１Ｂ，２０１Ｃ，３０１Ｃ，１００１Ｃ，１１０１Ｃ，１２０１Ｃ，１２０２Ｃ，１３０１Ｃ、７０１Ｄａ，７０１Ｄｂ，７０１Ｄｃ，７０１Ｄｄ，８０１Ｄａ，８０１Ｄｂ，８０１Ｄｃ，８０１Ｄｄ，８０１Ｄｅ，８０１Ｄｆ，９０１Ｄａ，９０１Ｄｂ，１００１Ｄａ，１００１Ｄｂ、７０１Ｅａ，８０１Ｅａ，８０１，Ｅｂ８０１Ｅｃ，９０１Ｅａ，９０１Ｅｂ，９０１Ｅｃ，９０１Ｅｄ，９０１Ｅｅ，９０１Ｅｆ，１００１Ｅａ，１００１Ｅｂ，１１０１Ｅａ，１１０１Ｅｂ、２０１Ｆａ，３０１Ｆａ，３０１Ｆｂ，４０１Ｆａ，４０１Ｆｂ，１２０１Ｆａ，１２０１Ｆｂ，１２０１Ｆｃ，１２０１Ｆｄ，１３０１Ｆａ，１３０１Ｆｂ，１３０１Ｆｃ，１３０１Ｆｄ，１４０１Ｆａ，１４０１Ｆｃ，１４０１Ｆｄ，１５０１Ｆｃ，２０１Ｇａ，２０１Ｇｂ，３０１Ｇａ，３０１Ｇｂ，４０１Ｇａ，４０１Ｇｂ，１１０１Ｇａ，１１０１Ｇｂ，１２０１Ｇａ，１２０１Ｇｂ，１２０１Ｇｃ，１２０１Ｇｄ，１３０１Ｇａ，１３０１Ｇｂ，１３０１Ｇｃ，１３０１Ｇｄ，１４０１Ｇａ，１４０１Ｇｂ，１４０１Ｇｃ，１４０１Ｇｄ，１５０１Ｇｃ：平板電極、
９９９Ａ，９９９Ｂ，９９９Ｃ，９９９Ｄａ，９９９Ｄｂ，９９９Ｅ，９９９Ｆａ，９９９Ｆｂ，９９９Ｇａ，９９９Ｇｂ−グランド接続用電極
Ｐｕｎｂ，Ｐｕｎｂａ，Ｐｕｎｂｂ：不平衡端子、Ｐｂ１，Ｐｂ２，Ｐｂａ１，Ｐｂａ２，Ｐｂｂ１，Ｐｂｂ２：平衡端子、ＧＮＤ：グランド端子、Ｓｅ，Ｓｅａ１，Ｓｅａ２，Ｓｅｂ１，Ｓｅｂ２：接続用電極、
ＶＨ２３，ＶＨ２４，ＶＨ３４，ＶＨ４５、ＶＨ５６，ＶＨ６７，ＶＨ６８，ＶＨ７８，ＶＨ７１０，ＶＨ８９，ＶＨ２３ａ，ＶＨ２３ｂ，ＶＨ３４ａ，ＶＨ３４ｂ，ＶＨ３５ａ，ＶＨ３５ｂ，ＶＨ４５ａ，ＶＨ４５ｂ，ＶＨ４７ａ，ＶＨ４７ｂ，ＶＨ５６ａ，ＶＨ５６ｂ，ＶＨ６７ａ，ＶＨ６７ｂ，ＶＨ７８ａ，ＶＨ７８ｂ，ＶＨ７９ａ，ＶＨ７９ｂ，ＶＨ８９ａ，ＶＨ８９ｂ，ＶＨ９１０ａ，ＶＨ９１０ｂ，ＶＨ１０１１ａ，ＶＨ１０１１ｂ，ＶＨ１１１３ａ，ＶＨ１１１３ｂ：ビア電極、
【図１】
0005573811.tif 000002
【図２】
0005573811.tif 000003
【図３】
0005573811.tif 000004
【図４】
0005573811.tif 000005
【図５】
0005573811.tif 000006
【図６】
0005573811.tif 000007
【図７】
0005573811.tif 000008
【図８】
0005573811.tif 000009
【図９】
0005573811.tif 000010
【図１０】
0005573811.tif 000011
【図１１】
0005573811.tif 000012
【図１２】
0005573811.tif 000013
【図１３】
0005573811.tif 000014
【図１４】
0005573811.tif 000015
【図１５】
0005573811.tif 000016
【図１６】
0005573811.tif 000017
【図１７】
0005573811.tif 000018
【図１８】
0005573811.tif 000019
【図１９】
0005573811.tif 000020
【図２０】
0005573811.tif 000021
【図２１】
0005573811.tif 000022
【図２２】
0005573811.tif 000023